(57)【要約】      （修正有）【課題】ユーザにとって、放射線画像撮影装置の使い勝手を向上させることができる。【解決手段】放射線画像に対する画像処理能力が互いに異なり、かつ放射線画像の撮影に関する制御を各々行う複数の制御装置のいずれか１つとの間で選択的に通信を行う通信部と、撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、ユーザにより操作が行われる操作部が操作された場合、メモリモードを選択する選択部と、を備える。【選択図】図３
2018079338.tif 000002
【特許請求の範囲】
【請求項１】
放射線画像に対する画像処理能力が互いに異なり、かつ前記放射線画像の撮影に関する制御を各々行う複数の制御装置のいずれか１つとの間で選択的に通信を行う通信部と、
撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、ユーザにより操作が行われる操作部が操作された場合、前記メモリモードを選択する選択部と、
を備えた放射線画像撮影装置。
【請求項２】
前記選択部は、前記操作部が非操作である場合、前記複数の撮影モードのいずれかを自動的に選択する、
請求項１に記載の放射線画像撮影装置。
【請求項３】
前記選択部は、前記複数の制御装置のうち、他の制御装置に比較して画像処理能力が低い制御装置と前記通信部が通信を行う場合は前記メモリモードを自動的に選択する、
請求項２に記載の放射線画像撮影装置。
【請求項４】
前記選択部は、前記複数の制御装置のうち、他の制御装置に比較して画像処理能力が高い制御装置と前記通信部が通信を行う場合は前記通常モードを自動的に選択する、
請求項２または請求項３に記載の放射線画像撮影装置。
【請求項５】
前記複数の制御装置の各々は、前記画像処理能力に応じた表示能力を有する表示部を備えており、
前記選択部は、前記表示部の表示能力に応じて、前記複数の撮影モードのいずれかを自動的に選択する、
請求項２に記載の放射線画像撮影装置。
【請求項６】
前記表示能力は、前記表示部の表示領域の大きさを含み、
前記選択部は、前記表示領域の大きさが予め定められた大きさよりも小さい前記表示部を有する制御装置と前記通信部が通信を行う場合は前記メモリモードを自動的に選択する、
請求項５に記載の放射線画像撮影装置。
【請求項７】
前記選択部は、前記通信部が前記制御装置と通信を行う通信能力に応じて、前記複数の撮影モードのいずれかを自動的に選択する、
請求項２またに記載の放射線画像撮影装置。
【請求項８】
前記選択部は、ユーザにより操作が行われる操作部が操作された場合であっても、前記記憶部の記憶可能な容量が不足している場合は、前記通常モードを選択する、
請求項１から請求項７のいずれか１項に記載の放射線画像撮影装置。
【請求項９】
前記複数の放射線画像の画像データは、予め定められた基準でまとめられた撮影群により得られた放射線画像の画像データを一単位とした、複数単位の放射線画像の画像データである、
請求項１から請求項８のいずれか１項に記載の放射線画像撮影装置。
【請求項１０】
前記記憶部は、放射線画像の撮影を行う場合に、前記自装置と一体化される、
請求項１から請求項９のいずれか１項に記載の放射線画像撮影装置。
【請求項１１】
前記記憶部は、自装置に対して着脱可能とされている、
請求項１から請求項１０のいずれか１項に記載の放射線画像撮影装置。
【請求項１２】
放射線画像の撮影動作を制御するための制御部と、
前記制御部による前記撮影動作の制御に用いられる作業用記憶部をさらに備える、
請求項１から請求項１１のいずれか１項に記載の放射線画像撮影装置。
【請求項１３】
前記操作部をさらに備えた、
請求項１から請求項１２のいずれか１項に記載の放射線画像撮影装置。
【請求項１４】
前記操作部は、自装置の筐体に設けられた操作ボタンである、
請求項１３に記載の放射線画像撮影装置。
【請求項１５】
前記複数の制御装置のうちの少なくとも１つの制御装置は、前記操作部を備える、
請求項１から請求項１４のいずれか１項に記載の放射線画像撮影装置。
【請求項１６】
前記複数の制御装置は、前記操作部を備えた携帯情報端末装置を含む、
請求項１から請求項１５に記載の放射線画像撮影装置。
【請求項１７】
前記複数の制御装置は、コンソール及び前記コンソールよりも画像処理能力が低い携帯情報端末装置を含む、
請求項１から請求項１５のいずれか１項に記載の放射線画像撮影装置。
【請求項１８】
請求項１から請求項１７のいずれか１項に記載の放射線画像撮影装置と、
前記放射線画像撮影装置で撮影によって得られた放射線画像に対する画像処理能力が互いに異なり、かつ前記放射線画像の撮影に関する制御を各々行う複数の制御装置と、
を備えた放射線画像撮影システム。
【請求項１９】
放射線画像に対する画像処理能力が互いに異なり、かつ前記放射線画像の撮影に関する制御を各々行う複数の制御装置のいずれか１つとの間で選択的に通信を行い、
撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、
ユーザにより操作が行われる操作部が操作された場合、前記メモリモードを選択する、
ことを含む処理をコンピュータに実行させるための放射線画像撮影装置の制御方法。
【請求項２０】
放射線画像に対する画像処理能力が互いに異なり、かつ前記放射線画像の撮影に関する制御を各々行う複数の制御装置のいずれか１つとの間で選択的に通信を行い、
撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、
ユーザにより操作が行われる操作部が操作された場合、前記メモリモードを選択する、
ことを含む処理をコンピュータに実行させるための放射線画像撮影装置の制御プログラム。
【発明の詳細な説明】
【技術分野】
【０００１】
本発明は、放射線画像撮影装置、放射線画像撮影システム、放射線画像撮影装置の制御方法、及び放射線画像撮影装置の制御プログラムに関する。
【背景技術】
【０００２】
従来、被写体を撮影する放射線画像撮影装置として、例えば医療診断を目的とした撮影を行う放射線画像撮影装置が知られている。放射線画像撮影装置は、放射線照射装置から放射線が照射され、被写体を透過した放射線を放射線検出器で検出して放射線画像を撮影する。
【０００３】
放射線画像撮影装置を制御する制御装置として、画像処理機能が異なる複数の制御装置が用いられる場合がある。例えば、特許文献１には、コンソールと携帯機器とを制御装置として用いた医療画像放送システムが記載されている。また、特許文献２には、コンソールと携帯端末とを制御装置として用いた放射線画像撮影システムが記載されている。
【０００４】
また、場合に応じて画像処理機能を制限することにより、１つの制御装置であっても複数の画像処理機能を有する制御装置と同様に用いられる場合がある。例えば、特許文献３には、放射線画像撮影装置を配置する撮影場所に応じて表示機能を制限するコンソールを放射線撮影制御装置として用いる技術が記載されている。
【先行技術文献】
【特許文献】
【０００５】
【特許文献１】特開２０１３−１１１４０２号公報
【特許文献２】特開２０１３−１４１４８４号公報
【特許文献３】特開２０１２−４５１７９号公報
【発明の概要】
【発明が解決しようとする課題】
【０００６】
放射線画像撮影装置では、画像処理機能が異なる複数の制御装置、または複数の画像処理機能を有する制御装置に対応して、それぞれの画像処理機能に応じた撮影モードを選択しなくてはならない場合がある。そのため、ユーザにとって、使い勝手が悪いと感じられる場合がある。
【０００７】
本発明は、ユーザにとって、放射線画像撮影装置の使い勝手を向上させることを目的とする。
【課題を解決するための手段】
【０００８】
上記課題を解決するため、第１の態様の放射線画像撮影装置は、放射線画像に対する画像処理能力が互いに異なり、かつ放射線画像の撮影に関する制御を各々行う複数の制御装置のいずれか１つとの間で選択的に通信を行う通信部と、撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、ユーザにより操作が行われる操作部が操作された場合、メモリモードを選択する選択部と、を備える。
【０００９】
また、第２の態様の放射線画像撮影装置は、第１の態様の放射線画像撮影装置において、選択部は、操作部が非操作である場合、複数の撮影モードのいずれかを自動的に選択する。
【００１０】
また、第３の態様の放射線画像撮影装置は、第２の態様の放射線画像撮影装置において、選択部は、複数の制御装置のうち、他の制御装置に比較して画像処理能力が低い制御装置と通信部が通信を行う場合はメモリモードを自動的に選択する。
【００１１】
また、第４の態様の放射線画像撮影装置は、第２の態様または第３の態様の放射線画像撮影装置において、選択部は、複数の制御装置のうち、他の制御装置に比較して画像処理能力が高い制御装置と通信部が通信を行う場合は通常モードを自動的に選択する。
【００１２】
また、第５の態様の放射線画像撮影装置は、第２の態様の放射線画像撮影装置において、複数の制御装置の各々は、画像処理能力に応じた表示能力を有する表示部を備えており、選択部は、表示部の表示能力に応じて、複数の撮影モードのいずれかを自動的に選択する。
【００１３】
また、第６の態様の放射線画像撮影装置は、第５の態様の放射線画像撮影装置において、表示能力は、表示部の表示領域の大きさを含み、選択部は、表示領域の大きさが予め定められた大きさよりも小さい表示部を有する制御装置と通信部が通信を行う場合はメモリモードを自動的に選択する。
【００１４】
また、第７の態様の放射線画像撮影装置は、第２の態様の放射線画像撮影装置において、選択部は、通信部が制御装置と通信を行う通信能力に応じて、複数の撮影モードのいずれかを自動的に選択する。
【００１５】
また、第８の態様の放射線画像撮影装置は、第１の態様から第７の態様のいずれか１態様の放射線画像撮影装置において、選択部は、ユーザにより操作が行われる操作部が操作された場合であっても、記憶部の記憶可能な容量が不足している場合は、通常モードを選択する。
【００１６】
また、第９の態様の放射線画像撮影装置は、第１の態様から第８の態様のいずれか１態様の放射線画像撮影装置において、複数の放射線画像の画像データは、予め定められた基準でまとめられた撮影群により得られた放射線画像の画像データを一単位とした、複数単位の放射線画像の画像データである。
【００１７】
また、第１０の態様の放射線画像撮影装置は、第１の態様から第９の態様のいずれか１態様の放射線画像撮影装置において、記憶部は、放射線画像の撮影を行う場合に、自装置と一体化される。
【００１８】
また、第１１の態様の放射線画像撮影装置は、第１の態様から第１０の態様のいずれか１態様の放射線画像撮影装置において、記憶部は、自装置に対して着脱可能とされている。
【００１９】
また、第１２の態様の放射線画像撮影装置は、第１の態様から第１１の態様のいずれか１態様の放射線画像撮影装置において、放射線画像の撮影動作を制御するための制御部と、制御部による撮影動作の制御に用いられる作業用記憶部をさらに備える。
【００２０】
また、第１３の態様の放射線画像撮影装置は、第１の態様から第１２の態様のいずれか１態様の放射線画像撮影装置において、  操作部をさらに備えた。
【００２１】
また、第１４の態様の放射線画像撮影装置は、第１３の態様の放射線画像撮影装置において、操作部は、自装置の筐体に設けられた操作ボタンである。
【００２２】
また、第１５の態様の放射線画像撮影装置は、第１の態様から第１４の態様のいずれか１態様の放射線画像撮影装置において、複数の制御装置のうちの少なくとも１つの制御装置は、操作部を備える。
【００２３】
また、第１６の態様の放射線画像撮影装置は、第１の態様から第１５の態様のいずれか１態様の放射線画像撮影装置において、複数の制御装置は、操作部を備えた携帯情報端末装置を含む。
【００２４】
また、第１７の態様の放射線画像撮影装置は、第１の態様から第１６の態様のいずれか１態様の放射線画像撮影装置において、複数の制御装置は、コンソール及びコンソールよりも画像処理能力が低い携帯情報端末装置を含む。
【００２５】
また第１８の態様の放射線画像撮影システムは、第１の態様から第１７の態様のいずれか１態様の放射線画像撮影装置と、放射線画像撮影装置で撮影によって得られた放射線画像に対する画像処理能力が互いに異なり、かつ放射線画像の撮影に関する制御を各々行う複数の制御装置と、備える。
【００２６】
また、第１９の態様の放射線画像撮影装置の制御方法は、放射線画像に対する画像処理能力が互いに異なり、かつ放射線画像の撮影に関する制御を各々行う複数の制御装置のいずれか１つとの間で選択的に通信を行い、撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、ユーザにより操作が行われる操作部が操作された場合、メモリモードを選択する、ことを含む処理をコンピュータに実行させるためのものである。
【００２７】
また、第２０の態様の放射線画像撮影装置の制御プログラムは、放射線画像に対する画像処理能力が互いに異なり、かつ放射線画像の撮影に関する制御を各々行う複数の制御装置のいずれか１つとの間で選択的に通信を行い、撮影によって得られた複数の放射線画像の画像データを自装置の記憶部に記憶するメモリモード、及び撮影によって得られた複数の放射線画像の画像データを順次送信する通常モードを含む複数の撮影モードのいずれかを選択し、ユーザにより操作が行われる操作部が操作された場合、メモリモードを選択する、ことを含む処理をコンピュータに実行させるためのものである。
【発明の効果】
【００２８】
本発明によれば、ユーザにとって、放射線画像撮影装置の使い勝手を向上させる、という効果が得られる。
【図面の簡単な説明】
【００２９】
【図１】実施の形態の放射線画像撮影システムの一例を示す概略構成図である。
【図２】実施の形態の放射線画像撮影装置、携帯情報端末装置、及びコンソールの概略構成の一例を示すブロック図である。
【図３】第１の実施の形態の放射線画像撮影装置の撮影制御部によって実行される撮影処理の流れの一例を表したフローチャートである。
【図４】第１の実施の形態の放射線画像撮影装置におけるメモリモード処理の概念を説明するための説明図である。
【図５】第１の実施の形態の放射線画像撮影装置の撮影制御部によって実行されるメモリモード処理の流れの一例を表したフローチャートである。
【図６】第１の実施の形態の放射線画像撮影装置における通常モード処理の概念を説明するための説明図である。
【図７】第１の実施の形態の放射線画像撮影装置の撮影制御部で実行される通常モード処理の流れの一例を表したフローチャートである。
【図８】第１の実施の形態の携帯情報端末装置の端末制御部によって実行される端末装置処理の流れの一例を表したフローチャートである。
【図９】携帯情報端末装置のディスプレイに撮影リストが表示された状態の具体例を示す概略図である。
【図１０】携帯情報端末装置のディスプレイにメモリモードに移行した旨を示す情報及び撮影可能枚数を表す情報が表示された状態の具体例を示す概略図である。
【図１１】携帯情報端末装置のディスプレイにプレビュー画像が表示された状態の具体例を示す概略図である。
【図１２】携帯情報端末装置のディスプレイに撮影済みのものを含む撮影リストが表示された状態の具体例を示す概略図である。
【図１３】第１の実施の形態のコンソールの制御部によって実行されるコンソール処理の流れの一例を表したフローチャートである。
【図１４】コンソールのディスプレイに読影用の放射線画像が表示された状態の具体例を示す概略図である。
【図１５】第２の実施の形態の携帯情報端末装置の端末制御部によって実行される端末装置処理の流れの一例を表したフローチャートである。
【図１６】第２の実施の形態の放射線画像撮影装置の撮影制御部によって実行されるメモリモード処理の流れの一例を表したフローチャートである。
【図１７】第３の実施の形態の放射線画像撮影装置の撮影制御部によって実行されるメモリモード処理の流れの一例を表したフローチャートである。
【図１８】第３の実施の形態の放射線画像撮影装置におけるメモリモード処理の概念を説明するための説明図である。
【図１９】第３の実施の形態の携帯情報端末装置の端末制御部によって実行される端末装置処理の流れの一例を表したフローチャートである。
【図２０】第４の実施の形態の放射線画像撮影装置の撮影制御部によって実行される撮影処理の流れの一例を表したフローチャートである。
【図２１】第４の実施の形態の放射線画像撮影装置の撮影制御部によって実行される省電力モード処理の流れの一例を表したフローチャートである。
【図２２】第４の実施の形態の携帯情報端末装置の端末制御部によって実行される端末装置処理の流れの一例を表したフローチャートである。
【図２３】携帯情報端末装置のディスプレイにポジショニングの終了を指示する操作をユーザに行わせるための表示が行われた状態の具体例を示す概略図である。
【図２４】第４の実施の形態の放射線画像撮影装置の撮影制御部によって実行される高速モード処理の流れの一例を表したフローチャートである。
【図２５】第４の実施の形態のコンソールの制御部によって実行されるコンソール処理の流れの一例を表したフローチャートである。
【図２６】放射線画像撮影装置と、コンソールとを備えた放射線画像撮影システムの一例を示す概略構成図である。
【図２７】第５の実施の形態の放射線画像撮影装置の撮影制御部によって実行される撮影処理の流れの一例を表したフローチャートである。
【図２８】画像処理能力の評価値の具体例について説明する説明図である。
【図２９】御装置と通信可能な通信方式との対応関係を説明する説明図である。
【図３０】第６の実施の形態の放射線画像撮影システムの一例を示す概略構成図である。
【図３１】第６の実施の形態の放射線画像撮影装置、携帯情報端末装置、及びコンソールの概略構成の一例を示すブロック図である。
【図３２】第６の実施の形態の放射線画像撮影装置の撮影制御部によって実行される撮影処理の流れの一例を表したフローチャートである。
【図３３】第６の実施の形態の放射線画像撮影装置の撮影制御部によって実行される動画モード処理の流れの一例を表したフローチャートである。
【図３４】第６の実施の形態のウエアラブル端末装置のウエアラブル制御部によって実行されるウエアラブル端末処理の流れの一例を表したフローチャートである。
【図３５】第６の実施の形態の携帯情報端末装置の端末制御部によって実行される端末装置処理の流れの一例を表したフローチャートである。
【発明を実施するための形態】
【００３０】
以下、各図面を参照して本発明に係る実施の形態の例を説明する。なお、図面において同一機能を有する部分には同一符号が付されており、重複する説明は適宜、省略する。
【００３１】
［第１の実施の形態］
【００３２】
まず、本実施の形態の放射線画像撮影システムの概略構成について説明する。図１は、本実施の形態の放射線画像撮影システムの一例を示す概略構成図である。
【００３３】
放射線画像撮影システム１０は、放射線照射装置１２、放射線画像撮影装置１４、携帯情報端末装置１６、及びコンソール１８を備えている。
【００３４】
放射線照射装置１２は、放射線源１３を備えている。放射線照射装置１２は、放射線源１３から放射線Ｒ（例えばエックス線（Ｘ線）等）を被写体Ｗに照射する機能を有している。放射線照射装置１２の具体例としては、回診車等が挙げられる。放射線照射装置１２に対して放射線Ｒの照射の実行を指示する方法は、特に限定されないが、本実施の形態では、携帯情報端末装置１６またはコンソール１８から照射の実行指示が行われる。
【００３５】
放射線画像撮影装置１４は、放射線照射装置１２から照射され、被写体Ｗを透過した放射線Ｒを検出する放射線検出器２０を備えている。放射線画像撮影装置１４は、放射線検出器２０を用いて、被写体Ｗの放射線画像を撮影する機能を有している。本実施の形態では、放射線画像撮影装置１４として電子カセッテを用いている。
【００３６】
本実施の形態の携帯情報端末装置１６は、内蔵バッテリにより駆動可能なものであって、具体的には、タブレット端末装置や、いわゆるＰＤＡ（Personal Digital Assistants）であるスマートフォン等が挙げられる。携帯情報端末装置１６は、例えば、ＲＩＳ（Radiology Information System）等の外部のシステムやコンソール１８から入力されたオーダ情報に基づいて、放射線画像撮影装置１４による放射線画像の撮影を制御する機能を有している。そのため、携帯情報端末装置１６は、上記外部のシステムやコンソール１８から、オーダ情報を受け付ける。本実施の形態においてオーダ情報は、本発明の予め定められた基準でまとめられた撮影群の一例に対応し、１つのオーダ情報分の撮影により得られた放射線画像の画像データが一単位に対応する。
【００３７】
コンソール１８は、例えば、ＲＩＳ（Radiology Information System）等の外部のシステムから入力されたオーダ情報に基づいて、放射線画像撮影システム１０の全体を制御する機能や、放射線画像撮影装置１４による放射線画像の撮影を制御する機能を有している。そのため、コンソール１８は、上記外部のシステムから、オーダ情報を受け付ける。
【００３８】
なお、本実施の形態の放射線画像撮影システム１０では、病棟、病室、及び手術室等の予め定められた撮影場所で放射線画像の撮影を行う場合は、放射線照射装置１２、放射線画像撮影装置１４、及び携帯情報端末装置１６を上記撮影場所に配置して、放射線画像の撮影を行う。この場合、コンソール１８は、放射線照射装置１２、放射線画像撮影装置１４、及び携帯情報端末装置１６を配置した撮影場所とは異なる場所（例えば、放射線科の診療室等）に配置した状態で撮影を行う。
【００３９】
本実施の形態の携帯情報端末装置１６とコンソール１８とでは、画像処理機能が異なっている。本実施の形態の放射線画像撮影システム１０では、ユーザが放射線画像の読影（診察及び診断を含む）を行う場合は、コンソール１８や、別途設けられたビューワ等の読影装置（図示省略）等を用いる。そのため、コンソール１８が有する画像処理機能は、ユーザの読影に耐え得る高画質の放射線画像を生成するためのものであり、画像処理能力が高い。一方、携帯情報端末装置１６ではディスプレイ３６による表示能力が必ずしも高くはないため、読影用の放射線画像の表示に適していない。そのため、携帯情報端末装置１６が有する画像処理機能は、コンソール１８よりも画像処理能力が低い。本実施の形態の携帯情報端末装置１６は、ディスプレイ３６に放射線画像撮影装置１４が生成したプレビュー（Preview）画像（詳細後述）を表示するための画像処理機能を有していればよい。プレビュー画像は、読影用の放射線画像よりも低画質の画像、及びデータ量が少ない画像の少なくとも一方の画像である。
【００４０】
また、本実施の形態の携帯情報端末装置１６とコンソール１８とでは、放射線画像撮影装置１４による撮影の制御を行う制御機能が異なっている。携帯情報端末装置１６は、コンソール１８が有する放射線画像の撮影を制御する機能のうちの、一部の機能のみを有している。携帯情報端末装置１６及びコンソール１８は、各々、本発明の制御装置の一例である。本実施の形態では、携帯情報端末装置１６及びコンソール１８を区別することなく総称する場合は、「制御装置」と称する。
【００４１】
次に、放射線画像撮影装置１４、携帯情報端末装置１６、及びコンソール１８の各機能について詳細に説明する。図２は、放射線画像撮影システム１０の放射線画像撮影装置１４、携帯情報端末装置１６、及びコンソール１８の概略構成の一例を示すブロック図である。
【００４２】
本実施の形態の放射線画像撮影装置１４は、放射線検出器２０、撮影制御部２２、操作検出部２３、メモリ２４、操作ボタン２５、Ｉ／Ｏ（Input-Output）部２６、及びＩ／Ｆ（Interface)部２８を備えている。放射線検出器２０、撮影制御部２２、操作検出部２３、メモリ２４、及びＩ／Ｏ部２６は、システムバスやコントロールバス等のバス２９を介して相互に各種情報の授受が可能に接続されている。
【００４３】
本実施の形態の放射線画像撮影装置１４は、放射線照射装置１２と非同期に、放射線Ｒの照射開始を自装置で検出して、放射線画像の撮影を行うものである。放射線画像撮影装置１４において放射線照射装置１２と非同期に、放射線Ｒの照射開始を自装置で検出する方法は、特に限定されない。例えば、照射された放射線Ｒの線量を検知する検知部を備え、検知部で検知した線量が照射開始として予め定められた閾値を越えた場合に、照射が開始されたことを検出してもよい。なお、放射線画像撮影装置１４は、本実施の形態に限らず、被写体Ｗを透過した放射線Ｒに応じた放射線画像を撮影する機能を有していればよい。
【００４４】
放射線検出器２０は、撮影制御部２２の制御により、被写体Ｗを透過した放射線Ｒを検出する機能を有している。本実施の形態の放射線検出器２０は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００４５】
撮影制御部２２は、本発明の選択部の一例であり、放射線画像撮影装置１４の全体的な動作を制御する機能を有している。
【００４６】
撮影制御部２２は、ＣＰＵ（Central Processing Unit）、ＲＯＭ（Read Only Memory）、及びＲＡＭ（Random Access Memory）を備えている。ＲＯＭには、ＣＰＵで実行される、後述する撮影処理プログラムを含む各種の処理プログラム等が予め記憶されている。ＲＡＭは、各種データを一時的に記憶する機能を有している。
【００４７】
操作ボタン２５は操作検出部２３に接続されており、放射線画像撮影装置１４の筐体（図示省略）における、放射線画像を撮影する場合に邪魔にならない位置に設けられている。
【００４８】
メモリ２４は、本発明の自装置に一体化された記憶部の一例である。メモリ２４には、撮影によって得られた放射線画像の画像データ等が記憶される。メモリ２４の具体例としては、ＳＳＤ（Solid State Drive）等が挙げられる。なお、メモリ２４は、放射線画像の撮影を行う場合に、放射線画像撮影装置１４と一体化されるものであればよく、例えば、ＵＳＢ（Universal Serial Bus）メモリ、ＳＤ（Secure Digital）メモリカード（登録商標）等、放射線画像撮影装置１４に着脱可能なものであってもよい。
【００４９】
Ｉ／Ｆ部２８はＩ／Ｏ部２６に接続されており、電波や光による無線通信等により、携帯情報端末装置１６やコンソール１８との間で各種情報の通信を行う機能を有している。本実施の形態の放射線画像撮影装置１４は、携帯情報端末装置１６と通信を行う場合には、近距離無線通信を用い、コンソール１８と通信を行う場合には、無線ＬＡＮ（Local Area Network）通信を用いている。具体的には、放射線画像撮影装置１４は、携帯情報端末装置１６と通信を行う場合には、Ｂｌｕｅｔｏｏｔｈ（登録商標）を用い、コンソール１８と通信を行う場合には、Ｗｉ−Ｆｉ（Wireless-Fidelity）（登録商標）を用いている。
【００５０】
Ｉ／Ｆ部２８及び撮影制御部２２が、本発明の通信部の一例である。
【００５１】
本実施の形態の携帯情報端末装置１６は、端末制御部３０、記憶部３２、読取部３３、ディスプレイドライバ３４、ディスプレイ３６、操作入力検出部３８、操作部４０、Ｉ／Ｏ部４２、及びＩ／Ｆ部４４を備えている。端末制御部３０、記憶部３２、読取部３３、ディスプレイドライバ３４、操作入力検出部３８、及びＩ／Ｏ部４２は、システムバスやコントロールバス等のバス４７を介して相互に各種情報の授受が可能に接続されている。
【００５２】
端末制御部３０は、携帯情報端末装置１６の全体の動作を制御する機能を有している。また、端末制御部３０は、コンソール１８や外部のシステムからＩ／Ｆ部４４を介してオーダ情報を取得する機能を有している。
【００５３】
端末制御部３０は、ＣＰＵ、ＲＯＭ、及びＲＡＭを備えている。ＲＯＭには、ＣＰＵで実行される、後述する端末装置プログラムを含む各種の処理プログラム等が予め記憶されている。ＲＡＭは、各種データを一時的に記憶する機能を有している。
【００５４】
本実施の形態の読取部３３は、文字や画像等を読み取る機能を有している。具体的には、読取部３３はカメラ機能を有しており、バーコードリーダとして機能する。
【００５５】
本実施の形態のディスプレイ３６は、本発明の表示部の一例であり、撮影に関する各種情報や撮影によって得られた放射線画像のプレビュー画像を表示する機能を有している。ディスプレイドライバ３４は、ディスプレイ３６への各種情報の表示を制御する機能を有している。
【００５６】
操作部４０は、放射線画像の撮影に関する指示や各種情報等を、ユーザが入力するために用いられる。本実施の形態の操作部４０は、例えば、タッチパネル、タッチペン、複数のキー、及びマウス等を含んでいる。なお、本実施の形態では、ディスプレイ３６と操作部４０とを一体化して、タッチパネルディスプレイとして構成している。操作入力検出部３８は、操作部４０に対する操作状態を検出する機能を有している。
【００５７】
Ｉ／Ｏ部４２及びＩ／Ｆ部４４は、電波や光による無線通信等により、放射線画像撮影装置１４やコンソール１８との間で各種情報の通信を行う機能を有している。本実施の形態の携帯情報端末装置１６は、放射線画像撮影装置１４と通信を行う場合には、近距離無線通信を用い、コンソール１８と通信を行う場合には、無線ＬＡＮ通信を用いている。具体的には、本実施の形態の携帯情報端末装置１６は、放射線画像撮影装置１４と通信を行う場合には、Ｂｌｕｅｔｏｏｔｈ（登録商標）を用い、コンソール１８と通信を行う場合には、Ｗｉ−Ｆｉ（登録商標）を用いている。
【００５８】
記憶部３２には、上述したオーダ情報等が記憶される。記憶部３２の具体例としては、ＳＳＤ等が挙げられる。なお、記憶部３２は、ＵＳＢメモリ、ＳＤメモリカード等、携帯情報端末装置１６に着脱可能なものであってもよい。
【００５９】
本実施の形態のコンソール１８は、サーバー・コンピュータとして機能する。コンソール１８は、制御部５０、記憶部５２、ディスプレイドライバ５４、ディスプレイ５６、操作入力検出部５８、操作部６０、読取部６１、Ｉ／Ｏ部６２、及びＩ／Ｆ部６４を備えている。制御部５０、記憶部５２、ディスプレイドライバ５４、操作入力検出部５８、読取部６１、及びＩ／Ｏ部６２は、システムバスやコントロールバス等のバス６７を介して相互に各種情報の授受が可能に接続されている。
【００６０】
制御部５０は、コンソール１８の全体の動作を制御する機能を有しており、ＣＰＵ、ＲＯＭ、ＲＡＭ、及びＨＤＤ（Hard Disk Drive）を備えている。ＲＯＭには、ＣＰＵで実行される各種の処理プログラム等が予め記憶されている。ＲＡＭは、各種データを一時的に記憶する機能を有している。ＨＤＤは、各種データを記憶して保持する機能を有している。
【００６１】
本実施の形態のディスプレイ５６は、本発明の表示部の一例であり、撮影に関する各種情報や読影用の放射線画像等を表示する機能を有している。ディスプレイドライバ５４は、ディスプレイ５６への各種情報の表示を制御する機能を有している。操作部６０は、放射線画像の撮影に関する情報等を、ユーザが入力するために用いられる。本実施の形態の操作部６０は、例えば、タッチパネル、タッチペン、複数のキー、及びマウス等を含んでいる。なお、操作部６０をタッチパネルとする場合は、ディスプレイ５６と一体化してもよい。操作入力検出部５８は、操作部６０に対する操作状態を検出する機能を有している。
【００６２】
本実施の形態の読取部６１は、文字や画像等を読み取る機能を有している。具体的には、読取部６１はカメラ機能を有しており、バーコードリーダとして機能する。
【００６３】
Ｉ／Ｏ部６２及びＩ／Ｆ部６４は、電波や光による無線通信等により、放射線画像撮影装置１４や携帯情報端末装置１６との間で各種情報の通信を行う機能を有している。本実施の形態のコンソール１８は、放射線画像撮影装置１４及び携帯情報端末装置１６と通信を行う場合には、無線ＬＡＮ通信を用いている。具体的には、本実施の形態のコンソール１８は、放射線画像撮影装置１４及び携帯情報端末装置１６とＷｉ−Ｆｉ（登録商標）を用いて通信を行う。
【００６４】
記憶部５２には、放射線画像の画像データと、被写体情報と、が関連付けられて記憶される。記憶部５２の具体例としては、ＨＤＤやＳＳＤ等が挙げられる。
【００６５】
次に、放射線画像を撮影する場合における本実施の形態の放射線画像撮影システム１０の動作について説明する。
【００６６】
まず、放射線画像撮影装置１４の動作について説明する。図３には、本実施の形態の放射線画像撮影装置１４の撮影制御部２２によって実行される撮影処理の流れの一例を表したフローチャートが示されている。本実施の形態の放射線画像撮影装置１４では、撮影制御部２２が自身のＲＯＭに記憶されている撮影処理プログラムを実行することにより、撮影処理を実行する。
【００６７】
なお、本撮影処理は、放射線画像撮影装置１４の電源スイッチ（図示省略）により電源が投入されると実行される。
【００６８】
図３のステップＳ１００で撮影制御部２２は、放射線検出器２０を待機状態にさせる。本実施の形態で「待機状態」とは、放射線画像撮影装置１４の電源スイッチがオンになっており、放射線画像の撮影が指示されるのを待機している状態をいう。
【００６９】
次のステップＳ１０２で撮影制御部２２は、携帯情報端末装置１６及びコンソール１８の何れかの制御装置が接続されたか否かを判断する。なお、ここで「接続」とは、通信による接続を意味し、直接物理的に接続されていなくてもよい。そのため、本実施の形態においては、「放射線画像撮影装置１４に接続」という場合は、放射線画像撮影装置１４と通信を行うことを意味する。
【００７０】
放射線画像撮影装置１４の撮影制御部２２では、携帯情報端末装置１６またはコンソール１８から通信を受け付けた場合に、制御装置が接続されたと判断する。制御装置が接続されていない場合は、待機状態を継続し、接続された場合は、ステップＳ１０４へ移行する。
【００７１】
ステップＳ１０４で撮影制御部２２は、自装置と、接続されている制御装置とは異なる他の制御装置との接続を禁止する。撮影制御部２２は、他の制御装置との通信を禁止することにより、他の制御装置との接続を禁止する。例えば、ステップＳ１０２で携帯情報端末装置１６が接続されたと判断した場合は、コンソール１８との接続を禁止する。同様に、ステップＳ１０２でコンソール１８と接続したと判断した場合は、携帯情報端末装置１６との接続を禁止する。このように他の制御装置との接続を禁止することで放射線画像撮影装置１４は、単一の制御装置のみと接続されることになる。これにより、放射線画像撮影装置１４において、複数の制御装置のそれぞれが行う制御に関して不整合が生じることを防止することがきる。
【００７２】
次のステップＳ１０６で撮影制御部２２は、接続された制御装置が携帯情報端末装置１６であるか否かを判断する。
【００７３】
本実施の形態の撮影制御部２２で接続された制御装置が携帯情報端末装置１６であるか否かを判断する方法は特に限定されない。例えば、上述したように携帯情報端末装置１６とコンソール１８とでは通信方式が異なるため、制御装置から接続された通信方式（Ｂｌｕｅｔｏｏｔｈ（登録商標）かＷｉ−Ｆｉ（登録商標）か）により判断してもよい。また例えば、自装置が携帯情報端末装置１６及びコンソール１８のいずれであるかを表す識別情報を制御装置から放射線画像撮影装置１４へ送信し、この識別情報に基づいて判断してもよい。
【００７４】
本実施の形態の放射線画像撮影装置１４では、自装置が実行可能な放射線画像の撮影モードとして、撮影により得られた複数の放射線画像の画像データをメモリ２４に記憶する撮影モードであるメモリモードを有している。携帯情報端末装置１６は、コンソール１８に比べて画像処理能力が低く、また、読影用の放射線画像を表示することはないため、接続された制御装置が携帯情報端末装置１６である場合は、放射線画像撮影装置１４は、撮影モードとして、メモリモードを選択する。
【００７５】
また、本実施の形態の放射線画像撮影装置１４では、上記撮影モードとして、撮影によって得られた放射線画像の画像データを適宜、制御装置に送信し、複数の放射線画像の画像データを放射線画像撮影装置１４のメモリ２４には記憶しない撮影モードである通常モードを有している。コンソール１８は、携帯情報端末装置１６に比べて画像処理能力が高く、また、読影用の放射線画像を表示するため、接続された制御装置がコンソール１８である場合は、放射線画像撮影装置１４は、撮影モードとして通常モードを選択する。
【００７６】
なお通常モードでは、１枚の放射線画像を撮影する毎に撮影した放射線画像の画像データを制御装置に送信し、次の撮影を行う場合もあるが、１つのオーダ情報によって複数枚の放射線画像の撮影が指示されている場合は、１つのオーダ情報によって指示された複数枚の放射線画像を連続的に撮影できる方が、ユーザにとって使い勝手がよい。
【００７７】
すなわち、本実施の形態の放射線画像撮影装置１４におけるメモリモードは、複数のオーダ情報に応じた撮影を連続して行うことが可能な撮影形態である。メモリモードの場合は、一連の連続撮影が終了（例えば、詳細を後述するメモリモード処理が終了）したことや、制御装置等の外部の装置から画像データの送信を行うように指示されたこと等を条件として、メモリ２４に記憶されている画像データを制御装置等の外部の装置に送信する。
【００７８】
一方、通常モードの場合は、１枚の放射線画像の撮影が終了したこと、もしくは１つのオーダ情報に応じた撮影が終了したことを条件として、メモリ２４に記憶されている画像データを制御装置等の外部の装置に送信する。
【００７９】
本実施の形態の放射線画像撮影装置１４では、接続された制御装置が携帯情報端末装置１６である場合、撮影モードとしてメモリモードを選択する。一方、接続された制御装置がコンソール１８である場合、撮影モードとして通常モードを選択する。
【００８０】
そのため、ステップＳ１０６で肯定判定となった場合は、メモリモードに応じた処理を行うためステップＳ１０８へ移行する。
【００８１】
ステップＳ１０８で撮影制御部２２は、メモリモード処理を行う。図４には、本実施の形態の放射線画像撮影装置１４におけるメモリモード処理の概念を説明するための説明図が示されている。また、図５には、本実施の形態の撮影制御部２２で実行されるメモリモード処理の流れの一例を表したフローチャートが示されている。
【００８２】
図５に示すように、メモリモード処理のステップＳ１３０で撮影制御部２２は、メモリモードに移行した旨を示す情報及び撮影可能枚数を表す情報を携帯情報端末装置１６に送信する。後述するように、ここで送信された情報は、携帯情報端末装置１６のディスプレイ３６に表示される（図８、ステップＳ２０４参照）。なお、放射線画像撮影装置１４が表示部を有する場合は、これらの情報を放射線画像撮影装置１４の表示部に表示させてもよい。
【００８３】
撮影制御部２２は、メモリ２４の空容量から撮影可能枚数を判断する。判断方法は特に限定されないが、例えば、平均的なサイズで、かつ平均的な解像度の放射線画像の画像データの大きさ（データ量）に基づいて判断してもよい。また例えば、オーダ情報が得られている場合は、オーダ情報と、オーダ情報に応じて撮影される放射線画像の画像データの大きさとの対応関係を予め記憶しておき、得られているオーダ情報に対応する画像データの大きさに基づいて撮影可能枚数を判断してもよい。
【００８４】
なお、携帯情報端末装置１６に送信する情報は、これらに限らない。例えば、撮影可能枚数を表す情報に代えて、または撮影可能枚数を表す情報とともに、メモリ２４の空容量を表す情報を携帯情報端末装置１６に送信してもよい。
【００８５】
次のステップＳ１３２で撮影制御部２２は、放射線画像の撮影を開始するか否か判断する。ここでは、制御装置として携帯情報端末装置１６が接続されているため、携帯情報端末装置１６が放射線画像の撮影を指示する。具体的には、携帯情報端末装置１６から後述する照合終了情報（図８、ステップＳ２１４参照）を受信した場合に、撮影制御部２２は、放射線画像の撮影を開始すると判断する。
【００８６】
照合終了情報を受信していない場合は、そのまま待機状態を継続し、照合終了情報を受信した場合は、ステップＳ１３４へ移行する。
【００８７】
ステップＳ１３４で撮影制御部２２は、放射線検出器２０を放射線Ｒの検出が即座に行える状態であるレディ状態に移行させる制御を行う。本実施の形態における「レディ状態」とは、放射線検出器２０が即座に撮影可能な状態をいい、放射線Ｒの照射開始を待機している状態をいう。このように、レディ状態では、例えば、放射線検出器２０は放射線Ｒの照射開始を検出するための動作等を行っているため、待機状態に比べて電力の消費量が多くなる。
【００８８】
本実施の形態では、制御装置として携帯情報端末装置１６が放射線画像撮影装置１４に接続されている場合、携帯情報端末装置１６が放射線照射装置１２に放射線画像の撮影を指示する。そのため、放射線照射装置１２は、携帯情報端末装置１６から送信された放射線画像の撮影指示情報を受信した場合、放射線Ｒの照射を行う。
【００８９】
以上の携帯情報端末装置１６及び撮影制御部２２による制御により、放射線検出器２０は、放射線照射装置１２から照射され、被写体Ｗを透過した放射線Ｒを検出することにより、被写体Ｗに応じた放射線画像を撮影する。
【００９０】
放射線検出器２０により放射線画像が撮影されると、次のステップＳ１３６で撮影制御部２２は、放射線検出器２０から放射線画像の撮影によって得られた画像データを取得する。次のステップＳ１３８で、撮影制御部２２は、取得した画像データをメモリ２４に記憶する。
【００９１】
次のステップＳ１４０で撮影制御部２２は、メモリ２４に記憶した画像データ（生データ）に基づいて、プレビュー画像を生成する。プレビュー画像とは、被写体Ｗに関する放射線画像の撮影が適切に行われたか否か、少なくとも再撮影の必要があるか否かをユーザが判断するための画像である。本実施の形態の撮影制御部２２は、放射線画像の生データにプレビュー画像を生成するための画像処理を行い、プレビュー画像を生成する。ここで、本実施の形態の撮影制御部２２は、読影用の放射線画像を生成する場合に行われる複数の画像処理のうち、比較的時間を要さないものをプレビュー画像を生成するための画像処理として用いている。具体例として撮影制御部２２は、放射線画像の生データに対してオフセット補正及びゲイン補正を行うが、欠陥画素の補正は行わない。欠陥画素の補正を行う画像処理の機能が、本発明の読影用の放射線画像を生成するための予め定められた画像処理機能の一例に対応する。
【００９２】
また、本実施の形態の放射線画像撮影装置１４では、プレビュー画像を生成するための画像処理として、放射線画像の生データを間引く画像処理も行っている。これにより、プレビュー画像の画像データは、生データよりもデータ量が少なくなる。なお、どの程度間引くかについては、携帯情報端末装置１６のディスプレイ３６の解像度、画像データの送信速度、及びユーザが所望するプレビュー画像の画質等に応じて予め定めておいてもよいし、ユーザが携帯情報端末装置１６から指示してもよい。
【００９３】
従って、本実施の形態の携帯情報端末装置１６のディスプレイ３６に表示されるプレビュー画像は、コンソール１８のディスプレイ５６に表示される読影用の放射線画像よりも低画質である。
【００９４】
次のステップＳ１４２で撮影制御部２２は、生成したプレビュー画像の画像データを携帯情報端末装置１６に送信する。携帯情報端末装置１６では、受信した画像データに基づいて、ディスプレイ３６にプレビュー画像が表示される（図８、ステップＳ２１８参照）。ユーザは、携帯情報端末装置１６のディスプレイ３６に表示されたプレビュー画像を参照して確認し、再撮影の要否を携帯情報端末装置１６の操作部４０を用いて放射線画像撮影装置１４に指示する。具体的には、携帯情報端末装置１６は、ユーザによって再撮影が必要である旨が操作部４０によって入力された場合は、再撮影指示情報を放射線画像撮影装置１４に送信（図８、ステップＳ２２２参照）する。また、ユーザによって再撮影が不要である旨が操作部４０によって入力された場合は、撮影完了指示情報を放射線画像撮影装置１４に送信（図８、ステップＳ２２４参照）する。
【００９５】
そこで次のステップＳ１４４で撮影制御部２２は、再撮影指示情報を携帯情報端末装置１６から受信したか否かを判断することにより、再撮影を行うか否かを判断する。ここで肯定判定となった場合は、ステップＳ１３４に戻り、再び被写体Ｗの放射線画像の撮影を繰り返す。なお、再撮影を行う場合は、ユーザがプレビュー画像を確認した結果、再撮影を指示した放射線画像の画像データに、再撮影を行った旨を表す情報を関連付けてメモリ２４に記憶しておくことが好ましい。
【００９６】
一方、ステップＳ１４４で否定判定となった場合、撮影制御部２２は、撮影完了指示情報を携帯情報端末装置１６から受信したとみなして、ステップＳ１４６へ移行する。
【００９７】
なお、同一の被写体Ｗについて複数枚の放射線画像を撮影する等、１つのオーダ情報に複数枚の放射線画像の撮影が指示されている場合は、ステップＳ１３４〜Ｓ１４４の処理を繰り返して行う。
【００９８】
放射線画像の撮影が完了すると、携帯情報端末装置１６は、被写体情報及びオーダ情報の少なくとも一方を放射線画像撮影装置１４に送信（図８、ステップＳ２２６参照）する。
【００９９】
そこで、ステップＳ１４６で撮影制御部２２は、被写体情報及びオーダ情報の少なくとも一方を携帯情報端末装置１６から受信する。そして次のステップＳ１４８で撮影制御部２２は、受信した被写体情報及びオーダ情報の少なくとも一方をステップＳ１３８の処理によって記憶した放射線画像の画像データに関連付けて、メモリ２４に記憶させる。
【０１００】
次のステップＳ１５０で撮影制御部２２は、全撮影を終了したか否かを判断する。ここで終了していないと判断した場合は、ステップＳ１５２へ移行し、撮影制御部２２は放射線検出器２０を待機状態にさせる制御を行う。ここで「全撮影」とは、詳細は後述するが、携帯情報端末装置１６において撮影リストに含まれる全ての撮影のことをいう。
【０１０１】
全撮影が終了すると、携帯情報端末装置１６は、終了指示情報を送信（図８、ステップＳ２３２参照）する。そのため、放射線画像撮影装置１４の撮影制御部２２は、ステップＳ１５０において、終了指示情報を受信していない場合は、全撮影が終了していないと判断する。一方、終了指示情報を受信した場合は、全撮影が終了したと判断する。
【０１０２】
ステップＳ１５０において、撮影制御部２２は、全撮影が終了したと判断した場合は、本メモリモード処理を終了する。
【０１０３】
以上のメモリモード処理により、一例として図４に示すように、放射線画像撮影装置１４からは、撮影によって得られた放射線画像から生成されたプレビュー画像の画像データが携帯情報端末装置１６に送信される。また、携帯情報端末装置１６からは、被写体情報及びオーダ情報の少なくとも一方が放射線画像撮影装置１４に送信される。放射線画像撮影装置１４では、受信した被写体情報及びオーダ情報の少なくとも一方を放射線画像の画像データに関連付けてメモリ２４に記憶させる。
【０１０４】
このようにしてメモリモード処理が終了すると、撮影処理（図３参照）のステップＳ１１２に移行する。なお、メモリモード処理が終了すると、携帯情報端末装置１６により、放射線画像撮影装置１４と携帯情報端末装置１６との接続（通信）が解除される（図８、ステップＳ２３４参照）。
【０１０５】
一方、撮影処理のステップＳ１０６で否定判定となった場合は、コンソール１８が接続されているとみなして、ステップＳ１１０へ移行する。
【０１０６】
ステップＳ１１０で撮影制御部２２は、通常モード処理を行う。図６には、本実施の形態の放射線画像撮影装置１４における通常モード処理の概念を説明するための説明図が示されている。また、図７には、本実施の形態の撮影制御部２２で実行される通常モード処理の流れの一例を表したフローチャートが示されている。
【０１０７】
図７に示すように、通常モード処理のステップＳ１７０で撮影制御部２２は、放射線画像の撮影を開始するか否か判断する。ここでは、制御装置としてコンソール１８が接続されているため、コンソール１８が放射線画像の撮影を指示する。具体的には、コンソール１８から後述する照合終了情報（図１３、ステップＳ３０８参照）を受信した場合に、撮影制御部２２は、放射線画像の撮影を開始すると判断する。
【０１０８】
照合終了情報を受信していない場合は、そのまま待機状態を継続し、照合終了情報を受信した場合は、ステップＳ１７２へ移行する。
【０１０９】
ステップＳ１７２〜Ｓ１７６は、メモリモード処理（図５参照）のステップＳ１３４〜Ｓ１３８と同様の処理を行い、被写体Ｗに応じた放射線画像を撮影して、放射線画像の画像データをメモリ２４に記憶する。
【０１１０】
次のステップＳ１７８で撮影制御部２２は、放射線画像の画像データをコンソール１８に送信する。なお、ここで送信する放射線画像の画像データは、生データであってもよいし、予め定められた画像処理後の画像データであってもよい。本実施の形態では具体例として撮影制御部２２は、生データに対してオフセット補正、ゲイン補正、及び欠陥補正を行った読影用の放射線画像の画像データをコンソール１８に送信する。
【０１１１】
コンソール１８では、受信した読影用の放射線画像の画像データに基づいて、ディスプレイ５６に読影用の放射線画像が表示される（図１３、ステップＳ３１２参照）。ユーザは、コンソール１８のディスプレイ５６に表示された放射線画像を参照して確認し、再撮影の要否をコンソール１８の操作部６０を用いて放射線画像撮影装置１４に指示する。具体的には、コンソール１８は、ユーザによって再撮影が必要である旨が操作部６０によって入力された場合は、再撮影指示情報を放射線画像撮影装置１４に送信（図１３、ステップＳ３１８参照）する。また、コンソール１８は、ユーザによって再撮影が不要である旨が操作部６０によって入力された場合は、撮影完了指示情報を放射線画像撮影装置１４に送信（図１３、ステップＳ３２０参照）する。
【０１１２】
そこで次のステップＳ１８０で撮影制御部２２は、再撮影指示情報をコンソール１８から受信したか否かを判断することにより、再撮影を行うか否かを判断する。ここで肯定判定となった場合は、ステップＳ１７２に戻り、再び被写体Ｗの放射線画像の撮影を繰り返す。一方、ステップＳ１８０で否定判定となった場合、撮影制御部２２は、撮影完了指示情報をコンソール１８から受信したとみなしてステップＳ１８２へ移行する。
【０１１３】
なお、本実施の形態の放射線画像撮影装置１４では、同一の被写体Ｗについて複数枚の放射線画像を撮影する等、１つのオーダ情報に複数枚の放射線画像の撮影が指示されている場合は、ステップＳ１７２〜Ｓ１８０の処理を繰り返して行う。
【０１１４】
放射線画像の撮影が完了すると、ステップＳ１８２で撮影制御部２２は、メモリ２４に記憶させた放射線画像の画像データ（生データ）を削除する。
【０１１５】
次のステップＳ１８４で撮影制御部２２は、全撮影を終了したか否かを判断する。ここで、終了していないと判断した場合は、ステップＳ１８６へ移行し、撮影制御部２２は放射線検出器２０を待機状態にさせる制御を行う。
【０１１６】
全撮影が終了すると、コンソール１８は、終了指示情報を送信（図１３、ステップＳ３２８参照）する。そのため、放射線画像撮影装置１４の撮影制御部２２は、ステップＳ１８４において、終了指示情報を受信していない場合は、全撮影が終了していないと判断する。一方、終了指示情報を受信した場合は、全撮影が終了したと判断する。
【０１１７】
ステップＳ１８４において、撮影制御部２２は、全撮影が終了したと判断した場合は、本通常モード処理を終了する。
【０１１８】
以上の通常モード処理により、一例として図６に示すように、放射線画像撮影装置１４からは、撮影によって得られた放射線画像から生成された読影用の放射線画像の画像データがコンソール１８に送信される。また、コンソール１８は、読影用の放射線画像と被写体情報及びオーダ情報の少なくとも一方とを関連付けて記憶部５２に記憶させる。
【０１１９】
このようにして通常モード処理が終了すると、撮影処理（図３参照）のステップＳ１１２に移行する。なお、通常モード処理が終了すると、コンソール１８により、放射線画像撮影装置１４とコンソール１８との接続（通信）が解除される（図１３、ステップＳ３３０参照）。
【０１２０】
ステップＳ１１２で撮影制御部２２は、放射線画像撮影装置１４の電源スイッチがオフ状態になったか否かを判断する。電源スイッチがオフ状態になっていない場合は、ステップＳ１１４に移行する。
【０１２１】
ステップＳ１１４で撮影制御部２２は、自装置をスリープ状態にさせる制御を行う。なお、本実施の形態における「スリープ状態」とは、撮影制御部２２のＣＰＵのみが動作している状態であり、待機状態よりも消費電力が少ない状態をいう。
【０１２２】
次のステップＳ１１６で撮影制御部２２は、上記ステップＳ１０２と同様に、制御装置が接続されたか否かを判断する。接続されていない場合は、スリープ状態を継続する。一方、接続された場合は、ステップＳ１１８へ移行する。ステップＳ１１８で撮影制御部２２は、自装置をスリープ状態から待機状態に復帰させる制御を行った後、ステップＳ１０４に戻り、本撮影処理を繰り返す。
【０１２３】
一方、ステップＳ１１２で撮影制御部２２は、上記電源スイッチがオフ状態になった場合は、本撮影処理を終了する。
【０１２４】
このように本実施の形態の放射線画像撮影装置１４では、撮影制御部２２が、Ｉ／Ｆ部２８を介して制御装置である携帯情報端末装置１６及びコンソール１８のいずれかとの間で選択的に通信を行う。選択的に通信を行うことにより、放射線画像撮影装置１４は、制御装置に接続される。撮影制御部２２は、放射線画像を撮影する場合に、接続された制御装置が携帯情報端末装置１６である場合は、撮影モードとしてメモリモードを選択する。また、撮影制御部２２は、放射線画像を撮影する場合に、接続された制御装置がコンソール１８である場合は、撮影モードとして通常モードを選択する。
【０１２５】
メモリモードでは、撮影制御部２２は、プレビュー画像を生成して画像データを携帯情報端末装置１６に送信し、複数のオーダ情報分の撮影により得られた放射線画像の画像データをメモリ２４に記憶させる。また、通常モードでは、撮影制御部２２は、読影用の放射線画像を生成して画像データをコンソール１８に送信し、複数のオーダ情報分の撮影により得られた放射線画像の画像データはメモリ２４に記憶させない。
【０１２６】
これにより、本実施の形態の放射線画像撮影装置１４では、接続された制御装置に適した撮影モードを選択することができる。
【０１２７】
次に、携帯情報端末装置１６の制御により放射線画像を撮影する場合における携帯情報端末装置１６の動作について説明する。
【０１２８】
図８には、本実施の形態の携帯情報端末装置１６の端末制御部３０によって実行される端末装置処理の流れの一例を表したフローチャートが示されている。本実施の形態の携帯情報端末装置１６では、端末制御部３０が自身のＲＯＭに記憶されている端末装置処理プログラムを実行することにより、端末装置処理を実行する。
【０１２９】
なお、本端末装置処理は、携帯情報端末装置１６が放射線画像撮影装置１４と通信可能な位置にあり、かつユーザにより本端末装置処理の実行指示が操作部４０を介して行われた場合に実行される。
【０１３０】
図８のステップＳ２００で端末制御部３０は、ディスプレイ３６に撮影リストを表示させる。本実施の形態の携帯情報端末装置１６では、撮影リストをコンソール１８やＲＩＳ等の外部のシステム等から予め取得し、記憶部３２等に記憶されているものとしているが、撮影リストを取得するタイミングはこれに限らず、本端末装置処理において、ステップＳ２００の処理を実行する直前に撮影リストをコンソール１８や外部のシステムから取得してもよい。
【０１３１】
図９には、携帯情報端末装置１６のディスプレイ３６に撮影リストが表示された状態の具体例を示す概略図が示されている。図９に示した具体例では、撮影リストとして、複数のオーダ情報の各々に個別に応じた複数の撮影について表示されており、それぞれ、チェックボックス７０、被写体情報、及びオーダ情報が表示される。チェックボックス７０は、撮影済みであるか否かを表すものであり、チェックボックス７０にチェックが有る場合は、撮影済みであることを表す。
【０１３２】
撮影リストがディスプレイ３６に表示されることにより、ユーザは、これから行う撮影について確認することができる。
【０１３３】
次のステップＳ２０２で端末制御部３０は、自装置と放射線画像撮影装置１４とを接続する。具体的には、端末制御部３０は、放射線画像撮影装置１４と通信を行うことにより、自装置と放射線画像撮影装置１４とを接続する。このように、放射線画像撮影装置１４と携帯情報端末装置１６とが接続されることにより、携帯情報端末装置１６により、放射線画像撮影装置１４の制御が可能になる。
【０１３４】
また、上述したように放射線画像撮影装置１４では、携帯情報端末装置１６が接続されることにより、メモリモード処理（図５参照）を行う。そして、放射線画像撮影装置１４は、メモリモード処理の実行中に、上述したようにメモリモードに移行した旨を示す情報及び撮影可能枚数を表す情報を携帯情報端末装置１６に送信する（図５、ステップＳ１３０参照）。
【０１３５】
そこで次のステップＳ２０４で端末制御部３０は、メモリモードに移行した旨を示す情報及び撮影可能枚数を表す情報を受信し、ディスプレイ３６に表示させる。図１０には、携帯情報端末装置１６のディスプレイ３６にメモリモードに移行した旨を示す情報及び撮影可能枚数を表す情報が表示された状態の具体例を示す概略図が示されている。図１０では、撮影リストと共にメモリモードに移行した旨を示す情報及び撮影可能枚数を表す情報が表示された状態が示されているが、表示方法は、これに限らない。例えば、ディスプレイ３６に撮影リストを表示させた状態（図９参照）から、切り替えて、メモリモードに移行した旨を示す情報及び撮影可能枚数を表す情報のみを表示させてもよい。
【０１３６】
ユーザは、ディスプレイ３６に表示されたこれらの情報を確認する。ユーザは、撮影リストに応じた撮影を行うにあたり、撮影可能枚数が不足している場合等は、放射線画像撮影装置１４を別のものに交換したり、放射線画像撮影装置１４のメモリ２４が着脱可能な場合は、別のメモリ２４に交換したりすることにより、放射線画像の撮影を継続することができる。
【０１３７】
なお、放射線画像撮影装置１４は、撮影可能枚数に応じて、撮影モードを選択または切り換えてもよい。例えば、オーダ情報が得られている場合は、撮影可能枚数が、１つのオーダ情報分の撮影枚数よりも少ない場合や、撮影リストに含まれる全ての放射線画像の撮影の撮影枚数よりも少ない場合は、メモリモードから通常モードに切り換えてもよい。
【０１３８】
ところで、一般的に、放射線画像の撮影を行う場合に、撮影リストに含まれるオーダ情報とは別に、追加の撮影（以下、「追加撮影」という）の要求が発生する場合がある。この場合に、携帯情報端末装置１６がコンソール１８や外部のシステムと接続していないと、追加撮影に対応するオーダ情報が未発行のまま、先に放射線画像の撮影を行い、撮影後にコンソール１８や外部のシステムと接続されると、オーダ情報と放射線画像の画像データとの関連付けが行われる。
【０１３９】
このような追加撮影が有る場合、ユーザが操作部４０を用いて被写体情報及び撮影条件を入力する。
【０１４０】
そこで、次のステップＳ２０６で端末制御部３０は、操作部４０により被写体情報及び撮影条件が入力されたか否かを操作入力検出部３８で検出することにより、追加撮影が有るか否かを判断する。ここで、追加撮影が有る場合は、ステップＳ２０６からステップＳ２１２へ移行し、端末制御部３０は、ユーザが操作部４０を用いて入力した、被写体情報及び撮影条件を受け付けた後、ステップＳ２１４へ移行する。
【０１４１】
一方、追加撮影が無い場合は、ステップＳ２０６からステップＳ２０８へ移行する。
【０１４２】
ステップＳ２０８で端末制御部３０は、被写体Ｗの照合を行う。ここで端末制御部３０は、例えば、被写体情報として、被写体Ｗの名札やカルテ等に記載された被写体名、バーコード、及びＱＲコード（登録商標）等の二次元コード等を読取部３３で読み取り、読み取ったデータと、撮影リストの情報とを照合することにより被写体Ｗの照合を行う。また例えば、撮影リストの情報に、被写体Ｗの顔を含む写真画像が含まれる場合は、端末制御部３０は、読取部３３により被写体Ｗの顔を写真撮影し、撮影した顔の画像を用いて顔認証等を行うことにより、被写体Ｗの照合を行ってもよい。このように被写体Ｗの照合方法は特に限定されず、これから撮影を行おうとしている被写体Ｗと撮影リストの情報とを照合できる方法であればよく、その他、指紋認証等を利用してもよい。
【０１４３】
次のステップＳ２１０で端末制御部３０は、ステップＳ２０８の処理による照合の結果、被写体Ｗが撮影リストの情報に含まれる被写体Ｗと一致したか否かを判断する。このように、本実施の形態の携帯情報端末装置１６では、被写体Ｗの照合を行うことにより、撮影を行う予定ではない被写体Ｗの放射線画像を撮影してしまうのを抑制することができる。
【０１４４】
被写体Ｗと撮影リストの情報とが一致しない場合は、ステップＳ２１１へ移行し、端末制御部３０は、ディスプレイ３６に、一致しない旨の情報を表示する。ディスプレイ３６に表示された被写体Ｗと撮影リストの情報とが一致しない旨の情報に応じて、ユーザは、被写体Ｗが撮影リストにないことを確認する。そしてユーザは、撮影リストにある、放射線画像の撮影を予定している被写体Ｗに変更して、変更後の被写体Ｗの照合を携帯情報端末装置１６に行わせる。そのため、一致しない場合は、ステップＳ２０８に戻り、端末制御部３０は、再び被写体Ｗの照合を行う。
【０１４５】
一方、被写体Ｗと撮影リストの情報とが一致した場合は、ステップＳ２１４へ移行する。ステップＳ２１４で端末制御部３０は、照合終了情報を放射線画像撮影装置１４に送信する。本実施の形態において、照合終了情報は、被写体Ｗの照合が終了したことを示すと共に、放射線画像撮影装置１４に放射線画像の撮影を指示するための情報を含む。そのため、上述したように放射線画像撮影装置１４は、携帯情報端末装置１６から照合終了情報を受信した場合に、放射線画像の撮影を開始すると判断する（図５、ステップＳ１３２参照）。
【０１４６】
また、ステップＳ２１４で端末制御部３０は、オーダ情報に基づいて、放射線照射装置１２に放射線画像の撮影指示情報を送信する。なお、放射線照射装置１２に放射線画像の撮影指示情報を送信するタイミングは、本実施の形態に限らず、照合終了情報の送信後、操作部４０を介してユーザから放射線Ｒの照射開始を指示された場合に、撮影指示情報を放射線照射装置１２に送信してもよい。
【０１４７】
放射線画像撮影装置１４では、上述したように図５に示すメモリモード処理のステップＳ１３４〜Ｓ１４２の処理により、放射線画像の撮影が行われ、撮影によって得られた放射線画像に基づいて生成されたプレビュー画像を示す画像データが携帯情報端末装置１６に送信される。
【０１４８】
そこで、次のステップＳ２１６で端末制御部３０は、プレビュー画像の画像データを受信したか否かを判断する。受信するまで待機し、受信するとステップＳ２１８へ移行する。
【０１４９】
ステップＳ２１８で端末制御部３０は、受信した画像データを用いてディスプレイ３６にプレビュー画像を表示させる。図１１には、携帯情報端末装置１６のディスプレイ３６にプレビュー画像７２が表示された状態の具体例を示す概略図が示されている。
【０１５０】
ユーザは、プレビュー画像７２を確認し、再撮影を行うか否かを判断する。ユーザは、表示されたプレビュー画像７２に目的とする部位が含まれていなかったり、画像にぼけやブレ等が生じていたりして、撮影によって得られた放射線画像が適切ではない場合は再撮影を指示する。また、本実施の形態の放射線画像撮影装置１４は、放射線照射装置１２と非同期に、放射線Ｒの照射開始を自装置で検出して放射線画像を撮影する。このため、放射線画像撮影装置１４に対する衝撃等のノイズにより、放射線Ｒの照射開始を誤検出して放射線画像を撮影し、プレビュー画像を携帯情報端末装置１６に送信してしまう場合がある。このような場合もユーザは、再撮影を指示する。
【０１５１】
具体的に本実施の形態の携帯情報端末装置１６では、ユーザが再撮影を指示する場合は、ディスプレイ３６に表示されたチェックボックス７４にチェックを入れる操作を行った後、終了ボタン７５を操作する。
【０１５２】
一方、再撮影を行わず、撮影を完了する場合にユーザは、ディスプレイ３６に表示されたチェックボックス７３にチェックを入れる操作を行った後、終了ボタン７５を操作する。
【０１５３】
端末制御部３０は、これらの操作を、操作入力検出部３８により検出する。そして、端末制御部３０は、ユーザによって再撮影を行う指示操作が行われたことを検出した場合は、ステップＳ２２２に移行し、端末制御部３０は、再撮影指示情報を放射線画像撮影装置１４に送信した後、ステップＳ２１６に戻る。
【０１５４】
一方、端末制御部３０は、ユーザによって撮影を完了する指示操作が行われたことを検出した場合は、ステップＳ２２４へ移行し、ステップＳ２２４で端末制御部３０は、撮影完了指示情報を放射線画像撮影装置１４に送信した後、ステップＳ２２６へ移行する。
【０１５５】
ステップＳ２２６で端末制御部３０は、被写体情報及びオーダ情報の少なくとも一方を放射線画像撮影装置１４に送信する。具体的には、撮影を行った被写体Ｗのオーダ情報が有る場合は、オーダ情報を送信し、追加撮影の場合等、撮影を行った被写体Ｗのオーダ情報が無い場合は、被写体情報を送信する。上述したように、放射線画像撮影装置１４に送信された被写体情報及びオーダ情報の少なくとも一方は、放射線画像撮影装置１４のメモリ２４に、放射線画像の画像データと関連付けて記憶される（図５、ステップＳ１４８参照）。
【０１５６】
次のステップＳ２２８で端末制御部３０は、ディスプレイ３６に、撮影リストを再び表示させる。ここで、端末制御部３０は、撮影が完了したオーダ情報に対応するチェックボックス７０にはチェックが入った状態の表示を行う。図１２には、携帯情報端末装置１６のディスプレイ３６に撮影済みのオーダ情報を含む撮影リストが表示された状態の具体例を示す概略図が示されている。図１２に示した具体例では、一番上に表示された、「被写体情報：富士Ａ子、オーダ情報：胸部、・・・」に対応するチェックボックス７０にチェックが入っており、この情報に対応する撮影が完了していることを表している。ユーザは、チェックボックス７０にチェックが入っているか否かにより、まだ放射線画像の撮影が終了していないオーダ情報が有るか否かを確認することができる。
【０１５７】
なお、放射線画像の撮影は、撮影リストの記載順に行われるとは限らない。上記ステップＳ２０８〜Ｓ２１０の処理により照合が完了したものから順に撮影が行われる。
【０１５８】
次のステップＳ２３０で端末制御部３０は、撮影リストに含まれる全撮影が終了したか否かを判断する。終了していないと判断した場合は、ステップＳ２０６に戻り、本端末装置処理を繰り返す。一方、全撮影が終了したと判断した場合は、ステップＳ２３２へ移行する。
【０１５９】
ステップＳ２３２で端末制御部３０は、終了指示情報を放射線画像撮影装置１４に送信する。次のステップＳ２３４で端末制御部３０は、放射線画像撮影装置１４との接続を解除した後、本端末装置処理を終了する。具体的には、端末制御部３０は、放射線画像撮影装置１４との通信を切断（終了）することにより、放射線画像撮影装置１４との接続を解除する。
【０１６０】
このように本実施の形態の携帯情報端末装置１６では、放射線画像の撮影において放射線画像撮影装置１４の制御を行う場合、端末制御部３０は、放射線画像撮影装置１４からプレビュー画像の画像データを受信してディスプレイ３６に表示させる。
【０１６１】
なお、携帯情報端末装置１６は、放射線画像の撮影を行っている間、コンソール１８等の他の制御装置や外部のシステムと通信を行ってもよいが、これらから撮影の制御に関する指示は受け付けない。このように携帯情報端末装置１６と他の制御装置や外部のシステムと通信を行うことにより、他の制御装置や外部のシステムから撮影の進行状況の把握等ができる。
【０１６２】
次に、コンソール１８の制御により放射線画像を撮影する場合におけるコンソール１８の動作について説明する。
【０１６３】
図１３には、本実施の形態のコンソール１８の制御部５０によって実行されるコンソール処理の流れの一例を表したフローチャートが示されている。本実施の形態のコンソール１８では、制御部５０が自身のＲＯＭに記憶されているコンソール処理プログラムを実行することにより、コンソール処理を実行する。
【０１６４】
なお、本コンソール処理は、コンソール１８の電源スイッチ（図示省略）により電源が投入された場合や、操作部６０により放射線画像の撮影を行う旨が指示されると実行される。
【０１６５】
なお、コンソール１８では、撮影リストに含まれていない追加撮影が生じた場合、上述した携帯情報端末装置１６と異なり、オーダ情報をＲＩＳ等の外部のシステムから取得でき、順次、撮影リストに撮影（オーダ情報）が追加されるものとする。
【０１６６】
図１３のステップＳ３００で制御部５０は、ディスプレイ５６に撮影リストを表示させる。本実施の形態のコンソール１８では、撮影リストをＲＩＳ等の外部のシステムから予め取得し、記憶部５２等に記憶されているものとしているが、撮影リストを取得するタイミングはこれに限らず、本コンソール処理において、ステップＳ３００の処理を実行する直前に撮影リストを外部のシステムから取得してもよい。なお、撮影リストの表示は、上述した携帯情報端末装置１６における端末装置処理のステップＳ２００と同様である。
【０１６７】
次のステップＳ３０２で制御部５０は、自装置と放射線画像撮影装置１４とを接続する。具体的には、制御部５０は、放射線画像撮影装置１４と通信を行うことにより、自装置と放射線画像撮影装置１４とを接続する。このように、放射線画像撮影装置１４とコンソール１８とが接続されることにより、コンソール１８により、放射線画像撮影装置１４の制御が可能になる。
【０１６８】
また、上述したように放射線画像撮影装置１４では、コンソール１８と接続することにより、撮影モードとしてメモリモードが選択されず、通常モードとなるため、通常モード処理（図７参照）を行う。
【０１６９】
次のステップＳ３０４で制御部５０は、被写体Ｗの照合を行う。コンソール１８における被写体Ｗの照合の仕方は、例えば、読取部６１を用いて、上述した携帯情報端末装置１６における端末装置処理のステップＳ２０８と同様にすればよい。
【０１７０】
次のステップＳ３０６で制御部５０は、ステップＳ３０４の処理による照合の結果、被写体Ｗが撮影リストの情報に含まれる被写体Ｗと一致したか否かを判断する。被写体Ｗと撮影リストの情報とが一致しない場合は、ステップＳ３０５に移行し、制御部５０は、ディスプレイ５６に、一致しない旨の情報を表示する。そして、ステップＳ３０４に戻り、制御部５０は、変更された被写体Ｗの照合を行う。
【０１７１】
一方、被写体Ｗと撮影リストの情報とが一致した場合は、ステップＳ３０８へ移行する。ステップＳ３０８で制御部５０は、照合終了情報を放射線画像撮影装置１４に送信する。上述したように放射線画像撮影装置１４は、コンソール１８から照合終了情報を受信した場合に、放射線画像の撮影を開始すると判断する（図７、ステップＳ１７０参照）。
【０１７２】
また、ステップＳ３０８で制御部５０は、オーダ情報に基づいて、放射線照射装置１２に放射線画像の撮影を指示する。
【０１７３】
放射線画像撮影装置１４では上述したように通常モード処理のステップＳ１７２〜Ｓ１７８の処理により、放射線画像の撮影が行われ、撮影によって得られた放射線画像の画像データがコンソール１８に送信される。
【０１７４】
そこで、ステップＳ３１０で制御部５０は、放射線画像の画像データを受信したか否かを判断する。受信するまで待機し、受信するとステップＳ３１２へ移行する。
【０１７５】
ステップＳ３１２で制御部５０は、受信した放射線画像の画像データを用いてディスプレイ５６に放射線画像を表示させる。また、次のステップＳ３１４で制御部５０は、受信した放射線画像の画像データを記憶部５２に記憶させる。
【０１７６】
本実施の形態では上述したように放射線画像撮影装置１４は、読影用の放射線画像の画像データをコンソール１８に送信する。そのため、制御部５０は、放射線画像として読影用の放射線画像をディスプレイ５６に表示させる。図１４には、コンソール１８のディスプレイ５６に読影用の放射線画像８０が表示された状態の具体例を示す概略図が示されている。
【０１７７】
なお、制御部５０がディスプレイ５６に表示させる放射線画像は、本実施の形態に限らない。例えば、放射線画像撮影装置１４から受信した放射線画像の画像データに画像処理を行い、画像処理後の放射線画像をディスプレイ５６に表示してもよい。このような放射線画像として、例えば、プレビュー画像をディスプレイ５６に表示してもよい。
【０１７８】
ユーザは、読影用の放射線画像８０を確認し、再撮影を行うか否かを判断する。本実施の形態のコンソール１８では、ユーザが再撮影を指示する場合は、ディスプレイ５６に表示されたチェックボックス８２にチェックをいれた後、終了ボタン８３を操作する。
【０１７９】
一方、再撮影を行わず、撮影を完了する場合は、ユーザは、ディスプレイ５６に表示されたチェックボックス８１にチェックをいれた後、終了ボタン８３を操作する。
【０１８０】
次のステップＳ３１６で制御部５０は、コンソール１８の操作入力検出部５８によりこれらの操作を検出する。制御部５０は、ユーザによって再撮影を行う指示操作が行われたことを検出した場合は、ステップＳ３１８に移行する。ステップＳ３１８で制御部５０は、再撮影指示情報を放射線画像撮影装置１４に送信した後、ステップＳ３１０に戻る。
【０１８１】
一方、再撮影を行わない場合は、ステップＳ３２０へ移行する。ステップＳ３２０で制御部５０は、撮影完了指示情報を放射線画像撮影装置１４に送信した後、ステップＳ３２２へ移行する。
【０１８２】
ステップＳ３２２で制御部５０は、オーダ情報を放射線画像の画像データに関連付けて記憶部５２に記憶させる。上述したように、コンソール１８では、放射線画像の撮影前にオーダ情報が取得できるため、ここでは、放射線画像の画像データにオーダ情報を関連付けて記憶させている。なお、本実施の形態のコンソール１８と異なり、上述した携帯情報端末装置１６と同様に、オーダ情報が取得できない（オーダ情報未発行）の追加撮影が生じた場合は、携帯情報端末装置１６と同様に、ユーザが入力した被写体情報を取得して、取得した被写体情報を放射線画像の画像データに関連付けて記憶部５２に記憶させればよい。
【０１８３】
次のステップＳ３２４で制御部５０は、ディスプレイ５６に、再び撮影リストを表示させる。なお、撮影リストの表示は、上述した携帯情報端末装置１６における端末装置処理のステップＳ２２８と同様であり、撮影が完了したオーダ情報に対応するチェックボックスにはチェックが入った状態の表示を行う。
【０１８４】
次のステップＳ３２６で制御部５０は、撮影リストに含まれる全撮影が終了したか否かを判断する。終了していないと判断した場合は、ステップＳ３０２に戻り、本コンソール処理を繰り返す。一方、全撮影が終了したと判断した場合は、ステップＳ３２８へ移行する。
【０１８５】
ステップＳ３２８で制御部５０は、終了指示情報を放射線画像撮影装置１４に送信する。次のステップＳ３３０で制御部５０は、放射線画像撮影装置１４との接続を解除した後、本コンソール処理を終了する。具体的には、制御部５０は、放射線画像撮影装置１４との通信を切断（終了）することにより、放射線画像撮影装置１４との接続を解除する。
【０１８６】
このように本実施の形態のコンソール１８では、放射線画像の撮影において放射線画像撮影装置１４の制御を行う場合、制御部５０は、放射線画像撮影装置１４から読影用の放射線画像の画像データを受信してディスプレイ５６に表示させる。また、コンソール１８は、受信した読影用の放射線画像の画像データとオーダ情報とを関連付けて記憶部５２に記憶させる。
【０１８７】
［第２の実施の形態］
【０１８８】
第１の実施の形態では、放射線画像撮影装置１４がメモリモードで動作する場合（メモリモード処理を行う場合）、放射線画像の撮影後に、携帯情報端末装置１６から被写体情報及びオーダ情報の少なくとも一方を受信して、放射線画像の画像データと関連付けてメモリ２４に記憶させていた。これに対して、本実施の形態では、放射線画像の撮影前に、携帯情報端末装置１６から被写体情報及びオーダ情報の少なくとも一方を受信して、撮影後に放射線画像の画像データと関連付けてメモリ２４に記憶させる場合について説明する。
【０１８９】
本実施の形態の放射線画像撮影システム１０の構成（図１、図２参照）は第１の実施の形態と同様であるため詳細な説明を省略する。
【０１９０】
本実施の形態の放射線画像撮影システム１０では、携帯情報端末装置１６により実行される端末装置処理が第１の実施の形態と異なる。
【０１９１】
図１５には、本実施の形態の携帯情報端末装置１６の端末制御部３０によって実行される端末装置処理の流れの一例を表したフローチャートが示されている。なお、図１５の図８に示す端末装置処理と同様の処理を行うステップには図８と同一のステップ番号を付して、説明を省略する。
【０１９２】
本実施の形態における携帯情報端末装置１６により実行される端末装置処理は、第１の実施の形態における端末装置処理（図８参照）と全体的な流れは同様である。ただし、本実施の形態の端末装置処理では、ステップＳ２１０とステップＳ２１４との間で、第１の実施の形態の端末装置処理におけるステップＳ２２６（図８参照）に対応するステップＳ２１３の処理を実行する。
【０１９３】
すなわち、ステップＳ２１０で端末制御部３０が、被写体Ｗと撮影リストの情報とが一致すると判断された場合は、ステップＳ２１３へ移行する。ステップＳ２１３で端末制御部３０は、第１の実施の形態の端末装置処理におけるステップＳ２２６と同様に、被写体情報及びオーダ情報の少なくとも一方を放射線画像撮影装置１４に送信した後、ステップＳ２１４へ移行する。
【０１９４】
このように、本実施の形態の携帯情報端末装置１６では、放射線画像撮影装置１４に、照合終了情報を送信して放射線画像の撮影を開始させる前に、被写体情報及びオーダ情報の少なくとも一方を送信する。
【０１９５】
そのため、本実施の形態の放射線画像撮影システム１０では、放射線画像撮影装置１４により実行されるメモリモード処理が第１の実施の形態と異なる。なお、放射線画像撮影装置１４により実行される、撮影処理（図３参照）における全体の流れ及び通常モード処理（図７参照）は、第１の実施の形態と同一である。
【０１９６】
図１６には、本実施の形態の放射線画像撮影装置１４の撮影制御部２２によって実行されるメモリモード処理の流れの一例を表したフローチャートが示されている。なお、図１６の図５に示すメモリモード処理と同様の処理を行うステップには図５と同一のステップ番号を付して、説明を省略する。
【０１９７】
本実施の形態における放射線画像撮影装置１４により実行されるメモリモード処理は、第１の実施の形態におけるメモリモード処理（図５参照）と全体的な流れは同様である。ただし、本実施の形態のメモリモード処理では、ステップＳ１３０とステップＳ１３２との間で、第１の実施の形態のメモリモード処理におけるステップＳ１４６（図５参照）に対応するステップＳ１３１の処理を実行する。
【０１９８】
すなわち、ステップＳ１３０で撮影制御部２２が、メモリモードに移行した旨を示す情報及び撮影可能枚数を表す情報を携帯情報端末装置１６に送信した後、ステップＳ１３１へ移行する。ステップＳ１３１で撮影制御部２２は、第１の実施の形態のメモリモード処理におけるステップＳ１４６と同様に、被写体情報及びオーダ情報の少なくとも一方を携帯情報端末装置１６から受信した後、ステップＳ１３２へ移行する。
【０１９９】
このように、本実施の形態の放射線画像撮影装置１４では、メモリモード処理において、放射線画像の撮影前に、被写体情報及びオーダ情報の少なくとも一方を携帯情報端末装置１６から受信する。そして、上述したようにステップＳ１４８で撮影制御部２２は、放射線画像撮影装置１４のメモリ２４に、被写体情報及びオーダ情報の少なくとも一方と、放射線画像の画像データとを関連付けて記憶させる。
【０２００】
なお、コンソール１８により実行されるコンソール処理（図１３参照）は、第１の実施の形態と同一である。
【０２０１】
［第３の実施の形態］
【０２０２】
第１及び第２の実施の形態では、メモリモードで動作する場合、放射線画像撮影装置１４が放射線画像の画像データと、被写体情報及びオーダ情報の少なくとも一方とを関連付けてメモリ２４に記憶させていた。これに対して本実施の形態では、携帯情報端末装置１６が放射線画像の画像データと、被写体情報及びオーダ情報の少なくとも一方とを関連付ける場合について説明する。
【０２０３】
本実施の形態の放射線画像撮影システム１０の構成（図１、図２参照）は第１の実施の形態と同様であるため詳細な説明を省略する。
【０２０４】
本実施の形態では、放射線画像撮影装置１４により実行されるメモリモード処理が第１の実施の形態と異なる。なお、放射線画像撮影装置１４により実行される、撮影処理（図３参照）における全体の流れ及び通常モード処理（図７参照）は、第１の実施の形態と同一である。
【０２０５】
図１７には、本実施の形態の放射線画像撮影装置１４の撮影制御部２２によって実行されるメモリモード処理の流れの一例を表したフローチャートが示されている。なお、図１７の図５に示すメモリモード処理と同様の処理を行うステップには図５と同一のステップ番号を付して、説明を省略する。また、図１８には、本実施の形態の放射線画像撮影装置１４におけるメモリモード処理の概念を説明するための説明図が示されている。
【０２０６】
本実施の形態における放射線画像撮影装置１４により実行されるメモリモード処理は、第１の実施の形態におけるメモリモード処理（図５参照）と全体的な流れは同様である。ただし、本実施の形態のメモリモード処理では、撮影制御部２２は、第１の実施の形態におけるメモリモード処理（図５参照）のステップＳ１４２に代わりステップＳ１４３を実行する。
【０２０７】
本実施の形態の放射線画像撮影装置１４では、メモリ２４に記憶されている撮影により得られた放射線画像の画像データには、個々を特定する画像ＩＤ（Identification）が付与されている。
【０２０８】
そこで、本実施の形態のメモリモード処理のステップＳ１４３で撮影制御部２２は、プレビュー画像の画像データ及びこのプレビュー画像に対応する放射線画像に付与されている画像ＩＤを携帯情報端末装置１６に送信する。
【０２０９】
また、本実施の形態の放射線画像撮影装置１４は、放射線画像の画像データと、被写体情報及びオーダ情報の少なくとも一方とを関連付ける処理を行わない。そのため、図１７に示すように、本実施の形態のメモリモード処理では、撮影制御部２２は、第１の実施の形態のメモリモード処理（図５参照）のステップＳ１４６及びＳ１４８の処理を実行しない。
【０２１０】
このように、本実施の形態の放射線画像撮影装置１４では、以上のメモリモード処理により、一例として図１８に示すように、プレビュー画像の画像データ及びこのプレビュー画像に対応する放射線画像に付与されている画像ＩＤを携帯情報端末装置１６に送信する。
【０２１１】
一方、本実施の形態の放射線画像撮影システム１０では、携帯情報端末装置１６により実行される端末装置処理が第１の実施の形態と異なる。
【０２１２】
図１９には、本実施の形態の携帯情報端末装置１６の端末制御部３０によって実行される端末装置処理の流れの一例を表したフローチャートが示されている。なお、図１９の図８に示す端末装置処理と同様の処理を行うステップには図８と同一のステップ番号を付して、説明を省略する。
【０２１３】
本実施の形態における携帯情報端末装置１６により実行される端末装置処理は、第１の実施の形態における端末装置処理（図８参照）と全体的な流れは同様である。ただし、本実施の形態の端末装置処理では、端末制御部３０は、第１の実施の形態における端末装置処理（図８参照）のステップＳ２１６に代わりステップＳ２１７を実行する。また、端末制御部３０は、第１の実施の形態における端末装置処理（図８参照）のステップＳ２２６に代わりステップＳ２２７を実行する。
【０２１４】
上述したように放射線画像撮影装置１４からプレビュー画像の画像データ及びこのプレビュー画像に対応する放射線画像に付与されている画像ＩＤが送信される。そのため、ステップＳ２１７で端末制御部３０は、プレビュー画像の画像データ及びこのプレビュー画像に対応する放射線画像に付与されている画像ＩＤを受信したか否かを判断する。受信するまで待機し、受信するとステップＳ２１８へ移行する。
【０２１５】
また、ステップＳ２２７で端末制御部３０は、被写体情報及びオーダ情報の少なくとも一方と、ステップＳ２１７で肯定判定となった場合に受信した画像ＩＤとを関連付けて記憶部３２に記憶させる。
【０２１６】
このように、本実施の形態の携帯情報端末装置１６では、ステップＳ２２７の処理により、撮影した被写体Ｗの被写体情報及びオーダ情報の少なくとも一方と、放射線画像撮影装置１４のメモリ２４に記憶されている被写体Ｗの放射線画像に付与されている画像ＩＤとを関連付けて記憶部３２に記憶する。
【０２１７】
これにより、撮影後に、コンソール１８において、放射線画像撮影装置１４のメモリ２４に記憶されている放射線画像の画像データ、及び携帯情報端末装置１６の記憶部３２に記憶されている被写体情報及びオーダ情報の少なくとも一方を参照することにより、画像ＩＤに基づいて、放射線画像の画像データと、被写体情報及びオーダ情報の少なくとも一方とを関連付けることができる。なお、携帯情報端末装置１６がオーダ情報をコンソール１８から受け付けた場合は、コンソール１８を表す情報（コンソールＩＤ等）を放射線画像撮影装置１４に送信し、放射線画像撮影装置１４が、上記情報を放射線画像の画像データに関連付けてメモリ２４に記憶させておくことにより、関連付けを行うコンソール１８を特定することができる。
【０２１８】
なお、コンソール１８により実行されるコンソール処理（図１３参照）は、第１の実施の形態と同一である。
【０２１９】
［第４の実施の形態］
【０２２０】
上記各実施の形態では、撮影モードとして、メモリモード及び通常モードについて説明した。これに対して本実施の形態では、その他の撮影モードについて説明する。
【０２２１】
本実施の形態の放射線画像撮影システム１０の構成（図１、図２参照）は第１の実施の形態と同様であるため詳細な説明を省略する。
【０２２２】
本実施の形態では、放射線画像撮影装置１４におけるその他の撮影モードの具体例として、省電力モード及び高速モードについて説明する。省電力モードとは、放射線画像撮影装置１４の消費電力を比較的抑制する撮影モードであり、高速モードで動作する場合に比べて消費電力を抑制する撮影モードである。
【０２２３】
一方、高速モードとは、放射線画像の撮影動作を高速に行える撮影モードであり、省電力モードで動作する場合に比べて放射線Ｒの照射開始の判断を高速に行う撮影モードである。
【０２２４】
上述したように本実施の形態の放射線画像撮影装置１４は、放射線照射装置１２と非同期に、放射線Ｒの照射開始を自装置で検出するものであり、放射線検出器２０がレディ状態に移行すると、放射線Ｒの照射開始を検出するための動作を行う。そのため、レディ状態では、待機状態やスリープ状態に比べて消費電力が大きくなる。
【０２２５】
そこで、本実施の形態の放射線画像撮影装置１４では、省電力モードでは、被写体Ｗのポジショニングが終了して制御装置から撮影の開始を指示されてからレディ状態に移行することにより、レディ状態である時間をなるべく短くして消費電力を抑制する。一方、高速モードでは、制御装置から撮影の開始を指示される前にレディ状態に移行しておき、撮影の開始が指示されると即座に放射線Ｒの照射開始を検出できる状態に移行することで高速動作を行う。
【０２２６】
制御装置として携帯情報端末装置１６を用いる場合は、一般的に、放射線画像撮影装置１４に外部から電源電力を供給する手段が整っていない撮影場所で撮影が行われることが多い。そのため、制御装置として携帯情報端末装置１６を用いる場合は、放射線画像撮影装置１４の消費電力を抑制することができる省電力モードが撮影モードとして適している。
【０２２７】
一方、制御装置としてコンソール１８を用いる場合は、放射線科の診療室等、放射線画像撮影装置１４に外部から電源電力を供給する手段が整えられている撮影場所で撮影が行われる。そのため、制御装置としてコンソール１８を用いる場合は、放射線画像撮影装置１４の消費電力を抑制するよりも、高速で動作することができる高速モードが撮影モードとして適している。
【０２２８】
そこで、本実施の形態の放射線画像撮影装置１４では、接続された制御装置が携帯情報端末装置１６の場合、撮影モードとして省電力モードを選択し、接続された制御装置がコンソール１８の場合、撮影モードとして高速モードを選択する。なお、本実施の形態の放射線画像撮影装置１４では、省電力モードの場合、接続された制御装置が携帯情報端末装置１６であるため、第１の実施の形態のメモリモード処理と同様に、プレビュー画像の生成及び送信を行い、複数オーダ分の放射線画像の画像データをメモリ２４に記憶させる処理も行う。また、本実施の形態の放射線画像撮影装置１４では、高速モードの場合、接続された制御装置がコンソール１８であるため、第１の実施の形態の通常モード処理と同様に、読影用の放射線画像の生成及び送信を行い、複数のオーダ分の放射線画像の画像データは、メモリ２４に記憶させない処理も行う。
【０２２９】
放射線画像を撮影する場合における本実施の形態の放射線画像撮影システム１０の動作について説明する。
【０２３０】
まず、放射線画像撮影装置１４の動作について説明する。図２０には、本実施の形態の放射線画像撮影装置１４の撮影制御部２２によって実行される撮影処理の流れの一例を表したフローチャートが示されている。本実施の形態における放射線画像撮影装置１４により実行される撮影処理は、第１の実施の形態における撮影処理（図３参照）と全体的な流れは同様である。そのため、図２０の図３に示す撮影処理と同様の処理を行うステップには図３と同一のステップ番号を付して、説明を省略する。
【０２３１】
図２０に示すように、本実施の形態の撮影処理では、撮影制御部２２は、第１の実施の形態における撮影処理（図３参照）のステップＳ１０８のメモリモード処理に代わりステップＳ１０９の省電力モード処理を実行する。また、撮影制御部２２は、第１の実施の形態における撮影処理（図３参照）のステップＳ１１０の通常モード処理に代わりステップＳ１１１の高速モード処理を実行する。
【０２３２】
まず、省電力モード処理について説明する。省電力モード処理を行う場合（撮影モードが省電力モードの場合）、上述のように、接続された制御装置は携帯情報端末装置１６である。
【０２３３】
図２１には、本実施の形態の放射線画像撮影装置１４の撮影制御部２２によって実行される省電力モード処理の流れの一例を表したフローチャートが示されている。
【０２３４】
放射線画像撮影装置１４の撮影制御部２２が実行する省電力モード処理は、撮影制御部２２が放射線画像の撮影を開始すると判断する判断方法が第１の実施の形態のメモリモード処理（図５参照）と異なる。第１の実施の形態のメモリモード処理のステップＳ１３２では、撮影制御部２２は照合終了情報を受信した場合に、放射線画像の撮影を開始すると判断していた。これに対して本実施の形態のメモリモード処理のステップＳ１３２Ａでは、撮影制御部２２はポジショニング終了情報を受信した場合に、放射線画像の撮影を開始すると判断する。
【０２３５】
図２１に示すように、その他の各ステップで実行される処理は、第１の実施の形態のメモリモード処理（図５参照）と同様であるため、説明を省略する。
【０２３６】
一方、図２２には、本実施の形態の携帯情報端末装置１６の端末制御部３０によって実行される端末装置処理の流れの一例を表したフローチャートが示されている。
【０２３７】
図２２に示すように、携帯情報端末装置１６の端末制御部３０が実行する端末処理は、第１の実施の形態の端末処理（図８参照）のステップＳ２１４に代わりステップＳ２１４Ａ及びＳ２１４Ｂを実行する他は、第１の実施の形態の端末処理と同様の処理を行う。
【０２３８】
ステップＳ２１４Ａで端末制御部３０は、被写体Ｗのポジショニングが終了したか否かを判断する。被写体Ｗが撮影リストの情報に含まれる被写体Ｗと一致すると、ユーザが、被写体Ｗをポジショニングする。または、ユーザが、被写体Ｗをポジショニングしてから、被写体Ｗの照合を行う。
【０２３９】
本実施の形態の携帯情報端末装置１６では、ユーザが被写体Ｗのポジショニングを終了したかを判断するために、ポジショニングの終了を指示する操作をユーザに行わせ、ステップＳ２１４Ａでは、ユーザの操作を検出することにより被写体Ｗのポジショニングが終了したか否かを判断する。
【０２４０】
そのため、本実施の形態の携帯情報端末装置１６の端末制御部３０は、ディスプレイ３６に、ポジショニングの終了を指示する操作をユーザに行わせるための表示を行う。図２３には、携帯情報端末装置１６のディスプレイ３６にポジショニングの終了を指示する操作をユーザに行わせるための表示が行われた状態の具体例を示す概略図が示されている。図２３では、撮影を実行中の撮影リストの内容と、ポジショニング終了を指示する操作ボタン９０と、が表示された状態が示されている。
【０２４１】
被写体Ｗのポジショニングを終了するとユーザは、ディスプレイ３６に表示された操作ボタン９０を操作する。端末制御部３０は、操作ボタン９０が操作されたことを、操作入力検出部３８により検出する。そして、端末制御部３０は、ユーザによって操作ボタン９０が操作されたことを検出するまで待機し、操作されたことを検出した場合は、ステップＳ２１４Ｂに移行する。
【０２４２】
ステップＳ２１４Ｂで端末制御部３０は、ポジショニング終了情報を放射線画像撮影装置１４に送信する。ポジショニング終了情報は、被写体Ｗのポジショニングが終了したことを示すと共に、第１の実施の形態の照合終了情報に相当し、放射線画像撮影装置１４に放射線画像の撮影を指示するための情報を含む。
【０２４３】
そのため、上述したように放射線画像撮影装置１４は、携帯情報端末装置１６からポジショニング終了情報を受信した場合に、放射線画像の撮影を開始すると判断する（図２１、ステップＳ１３２Ａ参照）。
【０２４４】
また、第１の実施の形態のメモリモード処理のステップＳ２１４（図５参照）と同様に、ステップＳ２１４Ｂで端末制御部３０は、オーダ情報に基づいて、放射線照射装置１２に放射線画像の撮影指示情報を送信する。
【０２４５】
次に、高速モード処理について説明する。高速モード処理を行う場合（撮影モードが高速モードの場合）、上述のように、接続された制御装置はコンソール１８である。
【０２４６】
図２４には、本実施の形態の放射線画像撮影装置１４の撮影制御部２２によって実行される高速モード処理の流れの一例を表したフローチャートが示されている。
【０２４７】
本実施の形態の高速モード処理では、撮影制御部２２が放射線検出器２０をレディ状態に移行させる制御を行うタイミングが第１の実施の形態のメモリモード処理（図５参照）と異なる。そのため、本実施の形態の高速モード処理では、撮影制御部２２、撮影制御部２２は、ステップＳ１７０の直前に、第１の実施の形態の通常モード処理（図７参照）のステップＳ１７２に相当する、ステップＳ１６９の処理を実行する。
【０２４８】
すなわち、高速モード処理が開始するとまず、ステップＳ１６９で撮影制御部２２は、放射線検出器２０を放射線Ｒの検出が即座に行える状態であるレディ状態に移行させる制御を行う。
【０２４９】
その後、ステップＳ１７０Ａで撮影制御部２２は、放射線画像の撮影を開始するか否かを判断する。ここで撮影制御部２２が放射線画像の撮影を開始すると判断する判断方法は、省電力モード処理（図２１参照）のステップＳ１３２と同様である。
【０２５０】
図２４に示すように、その他の各ステップで実行される処理は、第１の実施の形態の通常モード処理（図７参照）と同様であるため、説明を省略する。
【０２５１】
一方、図２５には、本実施の形態のコンソール１８の制御部５０によって実行されるコンソール処理の流れの一例を表したフローチャートが示されている。
【０２５２】
図２５に示すように、コンソール１８の制御部５０が実行するコンソール処理は、第１の実施の形態のコンソール処理（図１３参照）のステップＳ３０８に代わりステップＳ３０８Ａ及びＳ３０８Ｂを実行する他は、第１の実施の形態のコンソール処理と同様の処理を行う。
【０２５３】
ステップＳ３０８Ａ及びＳ３０８Ｂの処理は、それぞれ省電力モード処理（図２１参照）のステップＳ２１４Ａ及び２１４Ｂと同様の処理である。
【０２５４】
ステップＳ３０８Ａで制御部５０は、被写体Ｗのポジショニングが終了したか否かを判断し、肯定判定となるまで待機し、肯定判定となった場合は、ステップＳ３０８Ｂに移行する。
【０２５５】
ステップＳ３０８Ｂで制御部５０は、ポジショニング終了情報を放射線画像撮影装置１４に送信する。コンソール１８からポジショニング終了情報を受信すると放射線画像撮影装置１４は、放射線画像の撮影を開始すると判断する（図２４、ステップＳ１７０Ａ参照）。
【０２５６】
また、ステップＳ３０８Ｂで制御部５０は、オーダ情報に基づいて、放射線照射装置１２に放射線画像の撮影指示情報を送信する。
【０２５７】
このように本実施の形態の放射線画像撮影装置１４は、撮影モードとして省電力モード及び高速モードを有している。放射線画像撮影装置１４の撮影制御部２２は、放射線画像を撮影する場合に、接続された制御装置が携帯情報端末装置１６である場合は、撮影モードとして省電力モードを選択する。また、撮影制御部２２は、放射線画像を撮影する場合に、接続された制御装置がコンソール１８である場合は、撮影モードとして高速モードを選択する。
【０２５８】
これにより、本実施の形態の放射線画像撮影装置１４では、接続された制御装置に適した撮影モードを選択することができる。
【０２５９】
なお、撮影モードは、本実施の形態、及び上記各実施の形態で説明した撮影モードに限らない。例えば、撮影モードは、放射線画像撮影装置１４において放射線Ｒの検出を放射線照射装置１２と同期して行う同期モード、及び放射線照射装置１２と非同期で行う非同期モードであってもよい。
【０２６０】
また、例えば、撮影モードは、撮影される放射線画像の画質に応じた撮影モードであってもよい。この場合の撮影モードとしては、例えば、高解像度の放射線画像を撮影する撮影モードである精細モード、放射線検出器２０が放射線Ｒをサンプリングする回数を多くしてノイズを減らす低ノイズモード、放射線検出器２０で放射線Ｒを検出する感度を優先した撮影モードである感度優先モード等が挙げられる。
【０２６１】
［第５の実施の形態］
【０２６２】
上記各実施の形態では、制御装置の画像処理能力に応じて撮影モードを選択する場合について説明した。これに対して本実施の形態では、制御装置の画像処理能力、及び放射線画像撮影装置１４と制御装置との通信能力に基づいて、撮影モードを選択する場合について説明する。具体的には、上記画像処理能力、及び上記通信能力を評価した評価結果に基づいて、撮影モードを選択する場合について説明する。
【０２６３】
なお、本実施の形態において「通信能力」とは、例えば、通信規格、通信速度、通信量、及び安定性等の少なくとも１つに基づいた能力である。
【０２６４】
本実施の形態の放射線画像撮影システム１０の構成（図１、図２参照）は第１の実施の形態と同様であるため詳細な説明を省略する。
【０２６５】
なお、本実施の形態の放射線画像撮影装置１４の撮影制御部２２は、本発明の評価部及び選択部として機能する。
【０２６６】
放射線画像を撮影する場合における本実施の形態の放射線画像撮影システム１０の動作について説明する。
【０２６７】
放射線画像撮影装置１４の動作について説明する。図２７には、本実施の形態の放射線画像撮影装置１４の撮影制御部２２によって実行される撮影処理の流れの一例を表したフローチャートが示されている。本実施の形態における放射線画像撮影装置１４により実行される撮影処理は、第１の実施の形態における撮影処理（図３参照）と全体的な流れは同様である。そのため、図２７の図３に示す撮影処理と同様の処理を行うステップには図３と同一のステップ番号を付して、説明を省略する。
【０２６８】
図２７に示すように、本実施の形態の撮影処理では、撮影制御部２２は、第１の実施の形態における、撮影処理（図３参照）のステップＳ１０４の後に、ステップＳ１０５Ａ、Ｓ１０５Ｂを実行する。また、撮影処理（図３参照）のステップＳ１０６のメモリモード処理に代わりステップＳ１０７の処理を実行する。
【０２６９】
ステップＳ１０５Ａで撮影制御部２２は、接続された制御装置の評価値を取得する。本実施の形態において「評価値」とは、画像処理能力及び通信能力を評価した値である。
【０２７０】
評価値の具体例について図２８を参照して説明する。
【０２７１】
まず、画像処理能力の評価値について説明する。本実施の形態の放射線画像撮影システム１０では、画像処理能力の評価値として、制御装置で表示可能な放射線画像の画質に基づいて評価値を定めている。図２８に示すように、放射線画像の画質は、制御装置のハードウエア、及び画像処理に用いるソフトウエアに基づいて予め定められている。
【０２７２】
図２８に示した具体例では、放射線画像の画質は、制御装置のハードウエア、及び画像処理に用いるソフトウエアに基づいて予め定められており、放射線画像の画質に基づいて評価値Ａ〜Ｃが予め定められている。本実施の形態の放射線画像撮影システム１０では、画質の評価値は、Ａが最も高く、Ｃが最も低い。また、放射線画像を表示しない、または表示できない制御装置では、画質の評価値としてＮが付与される。
【０２７３】
放射線画像撮影装置１４の撮影制御部２２は、接続された制御装置のハードウエア及びソフトウエアに基づいて、画像処理能力の評価値を取得する。画像処理能力の評価値の取得方法は特に限定されず、例えば、図２８に具体例を示した、画像処理能力の評価値の具体例を予めメモリ２４に記憶しておき、接続された制御装置から、使用するハードウエア及びソフトウエアに関する情報を取得し、取得した情報に対応する評価値をメモリ２４から取得してもよい。また、制御装置毎に、制御装置の識別情報と画像処理能力の評価値との対応関係を予めメモリ２４に記憶しておき、接続された制御装置から自装置の識別情報を取得し、取得した識別情報に対応する画像処理能力の評価値をメモリ２４から取得してもよい。
【０２７４】
次に、通信能力の評価値について説明する。図２９に示すように、制御装置毎に通信可能な通信方式が予め定められている。本実施の形態では、具体例として、通信方式毎に評価値が予め定められており、Ｗｉ−Ｆｉ  ＭＩＭＯ（Multiple Input Multiple Output）（登録商標）、Ｗｉ−Ｆｉ（登録商標）、Ｂｌｕｅｔｏｏｔｈ（登録商標）、ＩｒＤＡ（Infrared Data Association）（登録商標）、及びＮＦＣ（Near field communication）の各々に評価値が対応付けられている。通信方式毎に予め定められた評価値は、Ｗｉ−Ｆｉ  ＭＩＭＯ（登録商標）が最も高く、Ｗｉ−Ｆｉ（登録商標）、Ｂｌｕｅｔｏｏｔｈ（登録商標）、ＩｒＤＡ（登録商標）、及びＮＦＣの順に低くなる。なお、通信方式は、本実施の形態で説明した方式に限定されるものではない。
【０２７５】
放射線画像撮影装置１４の撮影制御部２２は、接続された制御装置と通信を行う通信方式に基づいて、通信能力の評価値を取得する。例えば、通信方式と通信能力の評価値との対応関係を予めメモリ２４に記憶しておき、接続された制御装置と通信を行う通信方式に対応する評価値をメモリ２４から取得してもよい。
【０２７６】
次のステップＳ１０５Ｂで撮影制御部２２は、総合評価値を計算する。「総合評価値」とは、画像処理能力の評価値と、通信能力の評価値とに基づいて計算される評価値である。具体例として、本実施の形態の撮影制御部２２は、画像処理能力の評価値と、通信能力の評価値とを加算した値を総合評価値としている。なお、加算を行う場合に、画像処理能力の評価値、及び通信能力の評価値のいずれか一方に重み付けを行ってもよい。
【０２７７】
次のステップＳ１０７で撮影制御部２２は、総合評価値が、予め定められた撮影モード選択用の閾値以下であるか否かを判断する。本実施の形態の放射線画像撮影システム１０では、総合評価値が高いほど、撮影モードとして通常モードが適しており、総合評価値が低いほど、撮影モードとしてメモリモードが適している。そのため、本実施の形態の放射線画像撮影装置１４では、予め実験等により撮影モード選択用の閾値を得ておき、総合評価値が撮影モード選択用の閾値以下ならば、メモリモードを選択し、総合評価値が撮影モード選択用の閾値を超えたら通常モードを選択する。
【０２７８】
そのため、ステップＳ１０７で肯定判定となった場合は、ステップＳ１０８へ移行し、撮影制御部２２は、上述したメモリモード処理を実行する。一方、否定判定となった場合は、ステップＳ１１０へ移行し、撮影制御部２２が、上述した通常モード処理を実行する。
【０２７９】
このように本実施の形態の放射線画像撮影装置１４は、放射線画像の撮影に関する制御を各々行う複数の制御装置である携帯情報端末装置１６及びコンソール１８のいずれか１つとの間で選択的に通信を行う通信部として機能するＩ／Ｆ部２８及び撮影制御部２２を備える。さらに、放射線画像撮影装置１４は、放射線画像を撮影する場合に、通信部が通信を行う制御装置の放射線画像に対する画像処理能力、及び通信部が通信を行う通信能力の少なくとも一方を評価する評価部と、評価部の評価結果に基づいて、放射線画像の撮影に関して予め定められた複数の撮影モードのいずれかを選択する選択部と、して機能する撮影制御部２２を備える。
【０２８０】
これにより、本実施の形態の放射線画像撮影装置１４では、接続された制御装置に適した撮影モードを選択することができる。
【０２８１】
なお、本実施の形態の放射線画像撮影システム１０では、画像処理能力の評価値及び通信能力の評価値により得られた総合評価値に基づいて、撮影モードを選択したが、画像処理能力の評価値及び通信能力の評価値のいずれか一方に基づいて、撮影モードを選択してもよい。
【０２８２】
また、画像処理能力の評価値、及び通信能力の評価値の他、制御装置が備える記憶部の残量に応じた評価値や、制御装置のバッテリ（電源電力）の残量に応じた評価値を用いて撮影モードを選択してもよい。例えば、制御装置が備える記憶部の残量が少ない場合は、撮影モードとしてメモリモードが適しているため、記憶部の残量が少ないほど小さくなる評価値を予め定めておけばよい。また例えば、制御装置のバッテリの残量が少ない場合は、消費電力を抑制する通信方式で放射線画像撮影装置１４と携帯情報端末装置１６とを接続し、その通信方式に応じた評価値を取得すればよい。
【０２８３】
また、放射線画像撮影装置１４のメモリ２４の残量に応じた評価値や、制御装置のバッテリ（電源電力）の残量に応じた評価値を用いて撮影モードを選択してもよい。例えば、メモリ２４の残量が少ない場合は、撮影モードとしてメモリモードが適しているため、メモリ２４の残量が少ないほど小さくなる評価値を予め定めておけばよい。また例えば、メモリ２４のバッテリの残量が少ない場合は、消費電力を抑制する通信方式で放射線画像撮影装置１４と携帯情報端末装置１６とを接続し、その通信方式に応じた撮影モードを取得すればよい。
【０２８４】
さらに、制御装置に対するユーザの操作性（操作能力）や、運搬のし易さ等を評価する評価値を用いて撮影モードを選択してもよい。例えば、制御機能及びディスプレイ等の表示部を有する本体とキーボードとの接続状態に応じて操作性や運搬のし易さが異なるため、接続状態に応じて異なる評価値を用いて撮影モードを選択してもよい。具体例としては、制御機能及びディスプレイ等の表示部を有する本体とキーボードとが非接続の場合は、撮影モードとしてメモリモードが選択されるように評価値を定めてもよい。
【０２８５】
［第６の実施の形態］
【０２８６】
本実施の形態では、撮影モードとして動画モードと静止画モードとを有する場合について説明する。
【０２８７】
動画モードの場合、放射線検出器２０は、静止画像を連続して撮影する場合よりも高速（高フレームレート）で連続して放射線の検出を行い放射線画像を撮影して、リアルタイムで画像データを送信する。
【０２８８】
また、本実施の形態では、動画モードの場合、ウエアラブル型の機器を制御装置として使用可能としている。
【０２８９】
図３０は、本実施の形態の放射線画像撮影システムの一例を示す概略構成図である。本実施の形態の放射線画像撮影システム１０は、ウエアラブル型の機器として、ウエアラブル端末装置１００を備える点で、第１の実施の形態の放射線画像撮影システム１０（図１、２参照）と異なっている。
【０２９０】
ウエアラブル端末装置１００は、ウエアラブル型の機器であれば特に限定されず、内蔵バッテリにより駆動可能なものであればよい。ウエアラブル端末装置１００の具体例としては、スマートグラス等の眼鏡型のコンピュータ、ＨＭＤ（Head Mounted Display）、及び時計型のコンピュータ等が挙げられる。なお、スマートフォン等のＰＤＡであっても、ユーザが身につけることが可能であり、内蔵バッテリにより駆動可能な機器であれば、ウエアラブル型の機器としてみなす。なお、本実施の形態のウエアラブル端末装置１００は、ウインク等のジェスチャや音声等、ウエアラブル端末装置１００の機体にユーザが接触せずとも操作が可能な機器である。
【０２９１】
図３１に示すように、本実施の形態のウエアラブル端末装置１００は、ウエアラブル制御部１１０、ディスプレイドライバ１１２、読取部１１３、ディスプレイ１１４、操作入力検出部１１６、操作部１１８、Ｉ／Ｏ部１２０、及びＩ／Ｆ部１２２を備えている。ウエアラブル制御部１１０、ディスプレイドライバ１１２、読取部１１３、操作入力検出部１１６、及びＩ／Ｏ部１２０は、システムバスやコントロールバス等のバス１２７を介して相互に各種情報の授受が可能に接続されている。
【０２９２】
ウエアラブル制御部１１０は、ウエアラブル端末装置１００の全体的な動作を制御する機能を有している。
【０２９３】
ウエアラブル制御部１１０は、ＣＰＵ、ＲＯＭ、及びＲＡＭを備えている。ＲＯＭには、ＣＰＵで実行される、後述するウエアラブル端末処理プログラムを含む各種の処理プログラム等が予め記憶されている。ＲＡＭは、各種データを一時的に記憶する機能を有している。
【０２９４】
本実施の形態の読取部１１３は、文字や画像等を読み取る機能や人物等を撮影する機能を有している。具体的には、読取部１１３はカメラ機能を有しており、バーコードリーダとして機能する。
【０２９５】
本実施の形態のディスプレイ１１４は、本発明の表示部の一例であり、撮影に関する各種情報を表示する機能を有している。ディスプレイドライバ１１２は、ディスプレイ１１４への各種情報の表示を制御する機能を有している。
【０２９６】
操作部１１８は操作入力検出部１１６に接続されており、放射線画像撮影装置１４の筐体（図示省略）における、放射線画像を撮影する場合に邪魔にならない位置に設けられている。
【０２９７】
操作部１１８は、放射線画像の撮影に関する指示や各種情報等を、ユーザが入力するために用いられる。上述したように、操作部１１８は、少なくともウインク等のジェスチャや音声等による操作が可能となっている。なお、ウエアラブル端末装置１００を利用するユーザ等の特定の人物のみが操作部１１８による操作を行えることが好ましい。
【０２９８】
なお、本実施の形態では、ディスプレイ１１４と操作部１１８とを一体化して、タッチパネルディスプレイとして構成している。操作入力検出部１１６は、操作部１１８に対する操作状態を検出する機能を有している。
【０２９９】
Ｉ／Ｏ部１２０及びＩ／Ｆ部１２２は、電波や光による無線通信等により、放射線画像撮影装置１４、携帯情報端末装置１６、及びコンソール１８との間で各種情報の通信を行う機能を有している。本実施の形態のウエアラブル端末装置１００は、放射線画像撮影装置１４と通信を行う場合には、近距離無線通信を用い、コンソール１８と通信を行う場合には、無線ＬＡＮ通信を用いている。具体的には、本実施の形態のウエアラブル端末装置１００は、放射線画像撮影装置１４と通信を行う場合には、Ｂｌｕｅｔｏｏｔｈ（登録商標）を用い、コンソール１８と通信を行う場合には、Ｗｉ−Ｆｉ（登録商標）を用いている。
【０３００】
放射線画像を撮影する場合における本実施の形態の放射線画像撮影システム１０の動作について説明する。
【０３０１】
放射線画像撮影装置１４の動作について説明する。図３２には、本実施の形態の放射線画像撮影装置１４の撮影制御部２２によって実行される撮影処理の流れの一例を表したフローチャートが示されている。本実施の形態における放射線画像撮影装置１４により実行される撮影処理は、第５の実施の形態における撮影処理（図２７参照）と全体的な流れは同様である。そのため、図３２の図２７に示す撮影処理と同様の処理を行うステップには図３２と同一のステップ番号を付して、説明を省略する。
【０３０２】
図３２に示すように、本実施の形態の撮影処理では、撮影制御部２２は、第５の実施の形態における、ステップＳ１０８及びステップＳ１１０の代わりに、ステップＳ１０８Ａ及びステップＳ１１０Ａの処理を実行する。
【０３０３】
本実施の形態では、第５実施の形態と同様に、閾値に応じて撮影モードを選択する。なお、本実施の形態では、動画モードの場合は、複数の放射線画像の画像データを連続して制御装置に送信することになるため通信能力が比較的高い場合に動画モードを選択する。そのため、予め実験等により動画モード選択用の閾値を得ておき、総合評価値が動画モード選択用の閾値以下ならば、静止画モードを選択し、総合評価値が動画モード選択用の閾値を超えたら動画モードを選択する。なお、動画モードの選択における閾値と総合評価値との関係は、本実施の形態に限定されない。例えば、動画の場合、静止画に比較して低画質でもよい場合がある、このような場合、画像処理能力が較的低い場合に動画モードを選択してもよい。この場合は、予め実験等により動画モード選択用の閾値を得ておき、総合評価値が動画モード選択用の閾値以下ならば、動画モードを選択し、総合評価値が動画モード選択用の閾値を超えたら静止画モードを選択すればよい。また、画像処理能力及び通信能力にいずれを優先させるかを設定可能としておき、優先させる能力に応じて、動画モードの選択における閾値と総合評価値との関係を決定してもよい。
【０３０４】
ステップＳ１０８Ａの静止画モード処理は、静止画の撮影を行えばよく、その他の処理については特に限定されない。例えば、上記実施の形態で説明したメモリモード及び通常モードのいずれか一方を実行してもよい。また例えば、第５の実施の形態と同様に、総合評価値及び予め実験等により撮影モード選択用の閾値に基づいて、メモリモード及び通常モードのいずれかを選択して実行してもよい。
【０３０５】
一方、ステップＳ１１０Ａでは、図３３に一例を示した動画モード処理を実行する。図３３に示すように、本実施の形態の動画モード処理は、第１実施の形態の通常モード処理と同様の処理を含むため、同一の処理には同一の符号を付し、詳細な説明を省略する。
【０３０６】
図３３に示すように、動画モード処理では、ステップＳ１７０の前にステップS１６６及びステップＳ１６８を実行する。
【０３０７】
ステップＳ１６６で撮影制御部２２は、ウエアラブル端末装置１００が放射線画像撮影装置１４の制御を行うか否かを判断する。すなわち、放射線画像の撮影に関して、制御装置から行っていた制御（各種指示等）を、ウエアラブル端末装置１００が行うか否かを判断する。例えば、ウエアラブル端末装置１００が放射線画像撮影装置１４と通信を行っている場合や、ウエアラブル端末装置１００で制御を行う旨が予め設定されていたり、その旨の指示を受け付けたりした場合は、肯定判定となる。肯定判定となった場合、ステップＳ１６８へ移行する。
【０３０８】
ステップＳ１６８で撮影制御部２２は、制御装置からの指示の受信を禁止する。具体的には、制御装置として接続されている携帯情報端末装置１６またはコンソール１８からの撮影に関する制御の指示の受信を禁止し、接続されている制御装置にその旨を通知する。放射線画像撮影装置１４における撮影に関する制御の指示の受信を禁止する方法は特に限定されず、制御装置からの信号の受信そのものを禁止してもよいし、受信した信号を無視してそのまま廃棄してもよい。
【０３０９】
このように、制御装置からの指示の受信を禁止した場合、放射線画像撮影装置１４は、ウエアラブル端末装置１００の制御に応じて放射線画像の撮影を行う。
【０３１０】
その後、ステップＳ１７２Ａで撮影制御部２２は、放射線検出器２０を放射線Ｒの検出が即座に行える状態であるレディ状態に移行させる制御を行う。本実施の形態では、ウエアラブル端末装置１００が放射線照射装置１２に放射線画像の撮影を指示する。そのため、放射線照射装置１２は、ウエアラブル端末装置１００から送信された放射線画像の撮影指示情報を受信した場合、放射線Ｒの照射を行う。
【０３１１】
ウエアラブル端末装置１００及び撮影制御部２２による制御により、放射線検出器２０は、放射線照射装置１２から照射され、被写体Ｗを透過した放射線Ｒを検出することにより、被写体Ｗに応じた放射線画像を撮影する。本実施の形態では、動画の撮影を行うため、放射線検出器２０は、予め定められたフレームレートで連続して放射線画像の撮影を行う。そのため、フレームレートに応じた複数の放射線画像の画像データが撮影される毎に、順次放射線検出器２０から出力される。
【０３１２】
放射線検出器２０により放射線画像が撮影されると、次のステップＳ１７４Ａで撮影制御部２２は、放射線検出器２０から出力された複数の画像データ（動画データ）を順次取得する。次のステップＳ１７６Ａで、撮影制御部２２は、取得した複数の画像データ（動画データ）をメモリ２４に順次記憶する。
【０３１３】
次のステップＳ１７８Ａで撮影制御部２２は、放射線画像の画像データ（動画データ）を順次接続されている制御装置に送信する。
【０３１４】
また、本実施の形態の放射線画像撮影システム１０では、制御装置に表示された動画を確認したユーザは、再撮影を希望する場合は、ウエアラブル端末装置１００によりその旨を指示することができる。
【０３１５】
このように、動画モードの場合は、放射線画像の撮影に応じて放射線画像撮影装置１４から制御装置に動画データを送信することで、制御装置では動画である放射線画像をリアルタイムで表示することができる。
【０３１６】
一方、ウエアラブル端末装置１００は、図３４に一例を示したウエアラブル端末処理を実行する。ウエアラブル制御部１１０が自身のＲＯＭに記憶されているウエアラブル端末処理プログラムを実行することにより、ウエアラブル端末処理を実行する。
【０３１７】
図３４のステップＳ４００でウエアラブル制御部１１０は、自装置と放射線画像撮影装置１４とを接続する。具体的には、ウエアラブル制御部１１０は、放射線画像撮影装置１４と通信を行うことにより、自装置と放射線画像撮影装置１４とを接続する。このように、放射線画像撮影装置１４とウエアラブル端末装置１００とが接続されることにより、ウエアラブル端末装置１００により、放射線画像撮影装置１４の制御が可能になる。
【０３１８】
次のステップＳ４０８でウエアラブル制御部１１０は、被写体Ｗの照合を行う。ここでウエアラブル制御部１１０は、例えば、被写体情報として、被写体Ｗの名札やカルテ等に記載された被写体名、バーコード、及びＱＲコード（登録商標）等の二次元コード等を読取部１１３で読み取り、読み取ったデータと、撮影リストの情報とを照合することにより被写体Ｗの照合を行う。また例えば、撮影リストの情報に、被写体Ｗの顔を含む写真画像が含まれる場合は、端末制御部３０は、読取部３３により被写体Ｗの顔を写真撮影し、撮影した顔の画像を用いて顔認証等を行うことにより、被写体Ｗの照合を行ってもよい。このように被写体Ｗの照合方法は特に限定されず、これから撮影を行おうとしている被写体Ｗと撮影リストの情報とを照合できる方法であればよく、その他、指紋認証等を利用してもよい。なお、撮影リストは、制御装置等から取得すればよい。また、照合そのものは、制御装置等で行うこととし、ウエアラブル端末装置１００は、読取部１１３が読み取った被写体情報を制御装置に送信し、照合結果を制御装置から受信してもよい。
【０３１９】
次のステップＳ４１１０でウエアラブル制御部１１０は、ステップＳ４０８の処理による照合の結果、被写体Ｗが撮影リストの情報に含まれる被写体Ｗと一致したか否かを判断する。否定判定となった場合、ステップＳ４１１へ移行する。
【０３２０】
ステップＳ４１１でウエアラブル制御部１１００は、ディスプレイ１１４に、一致しない旨の情報を表示する。
【０３２１】
一方、肯定判定となった場合、ステップＳ４１４へ移行する。ステップＳ４１４でウエアラブル制御部１１０は、照合終了情報を放射線画像撮影装置１４に送信する。本実施の形態において、照合終了情報は、被写体Ｗの照合が終了したことを示すと共に、放射線画像撮影装置１４に放射線画像の撮影を指示するための情報を含む。
【０３２２】
また、ステップＳ４１４でウエアラブル制御部１１０は、オーダ情報に基づいて、放射線照射装置１２に放射線画像の撮影指示情報を送信する。なお、オーダ情報は、制御装置等から取得すればよい。
【０３２３】
放射線画像撮影装置１４では、動画の撮影が行われ、撮影された動画は制御装置で表示される。ユーザは、動画を確認し、再撮影を行うか否かを判断する。再撮影を行う場合、ユーザは操作部１１８により再撮影を指示する。再撮影の指示方法は特に限定されないが、例えば、ウエアラブル端末装置１００が眼鏡型のコンピュータである場合は、ウインクにより指示する方法が挙げられる。
【０３２４】
ステップＳ４２０で肯定判定となった場合、ステップＳ４２２に移行し、ウエアラブル制御部１１０が再撮影指示情報を放射線画像撮影装置１４に送信した後、ステップＳ４２０に戻る。
【０３２５】
一方、否定判定となった場合は、ステップＳ４２４へ移行する。ステップＳ４２４でウエアラブル制御部１１０は、撮影完了指示情報を放射線画像撮影装置１４及び制御装置に送信した後、ステップＳ４２６へ移行する。
【０３２６】
ステップＳ４２６で端末制御部３０は、被写体情報及びオーダ情報の少なくとも一方を放射線画像撮影装置１４に送信する。
【０３２７】
次のステップＳ４３０で端末制御部３０は、撮影リストに含まれる全撮影が終了したか否かを判断する。終了していないと判断した場合は、ステップＳ４０８に戻り、本ウエアラブル端末処理を繰り返す。一方、全撮影が終了したと判断した場合は、ステップＳ４３２へ移行する。
【０３２８】
ステップＳ４３２でウエアラブル制御部１１０は、終了指示情報を放射線画像撮影装置１４に送信する。次のステップ４２４でウエアラブル制御部１１０は、放射線画像撮影装置１４との接続を解除した後、本ウエアラブル端末処理を終了する。具体的には、ウエアラブル制御部１１０は、放射線画像撮影装置１４との通信を切断（終了）することにより、放射線画像撮影装置１４との接続を解除する。
【０３２９】
次に、本実施の形態の制御装置の動作について説明する。なお、具体例として、放射線画像撮影装置１４に接続されている制御装置が携帯情報端末装置１６の場合について説明する。
【０３３０】
携帯情報端末装置１６は、図３５に一例を示した端末装置処理を実行する。図３５に示した端末装置処理は、第１実施の形態の端末装置処理（図８）と類似した処理であるため、同一処理については同一の符号を付し、説明を省略する。
【０３３１】
図３５に示した端末装置処理は、第１実施の形態の端末装置処理（図８）のステップＳ２００が削除されており、また、ステップＳ２０２とステップＳ２０４との間にステップＳ２０３が加わっている。
【０３３２】
ステップＳ２０３で端末制御部３０は、制御が禁止されたか否かを判断する。上記動画モード処理（図３３参照）のステップＳ１６８の処理により放射線画像撮影装置１４に対する制御を禁止されていない場合は否定判定となりステップＳ２０４へ移行する。
【０３３３】
この後、第１実施の形態の端末装置処理（図８）のステップＳ２１６及びステップＳ２１８では、プレビュー画像の受信及び表示を行っていたが、本実施の形態では、ステップＳ２１６Ａ及びＳ２１８Ｂでプレビュー画像に代えて動画の受信及びディスプレイ３６への表示を行う。
【０３３４】
また、本実施の形態の端末装置処理では、第１実施の形態の端末装置処理（図８）のステップＳ２２８が削除されている。
【０３３５】
一方、上記ステップＳ２０３で肯定判定となった場合、ステップＳ２３１Ａへ移行する。ステップＳ２３１Ａ及び次のステップＳ２３１Ｂは、上記ステップＳ２１６Ａ及びＳ２１８Ｂ及びステップＳ２１８Ａと同様の処理である。すなわち、動画を受信して、ディスプレイ３６に表示させる。
【０３３６】
次のステップＳ２３１Ｃで端末制御部３０は、終了するか否かを判断する。ウエアラブル端末装置１００から撮影完了指示情報を受信していない場合、否定判定となりステップＳ２３１Ａに戻る。一方、撮影完了指示情報を受信した場合、肯定判定となりステップＳ２３４へ移行する。
【０３３７】
このように、本実施の形態の放射線画像撮影システム１０では、動画モードが撮影モードとして選択された場合、放射線画像撮影装置１４の制御は、ウエアラブル端末装置１００により行うことができる。また、制御装置に動画が表示されるため、制御装置により動画の確認を行うことができる。
【０３３８】
本実施の形態の放射線画像撮影システム１０によれば、携帯情報端末装置１６の操作部４０を操作することなく、ウエアラブル端末装置１００を用いることにより放射線画像撮影装置１４に対して指示を行うことが可能となる。そのため、携帯情報端末装置１６がユーザの手が届かない場所にある場合でも、放射線画像撮影装置１４に対して指示を行うことが容易になる。従って、ユーザにとって、放射線画像撮影装置の使い勝手をより向上させることができる。
【０３３９】
また、一般に、医療の現場において、タブレット端末等の携帯情報端末装置１６が用いられることが多くなっている。例えば、上述のように携帯情報端末装置１６のディスプレイ３６に動画である放射線画像をリアルタイムで表示させながら手術を行う場合がある。また例えば、予めＣＴ（Computed Tomography）やＭＲＩ（Magnetic Resonanse Imaging）により撮影された画像に対して画像処理を行って得られた３Ｄ画像を携帯情報端末装置１６のディスプレイ３６に表示させて、臓器や血管の立体的な位置関係を確認しながら手術を行う場合がある。
【０３４０】
医療の現場において、タッチパネルによる操作等、携帯情報端末装置１６の機体に設けられた操作部４０にユーザが接触して操作を行う場合、操作部４０に付着した細菌がユーザに付着する懸念が高い。
【０３４１】
そのため、一般には、上述のように医療の現場において携帯情報端末装置１６を用いる場合、滅菌プラスチックバッグ等に携帯情報端末装置１６を封入したり、携帯情報端末装置１６に滅菌カバー等を施したりすることにより、携帯情報端末装置１６の機体に設けられた操作部４０にユーザが直接接触しなくても操作が可能にしている。
【０３４２】
これに対して、本実施の形態のように、ウエアラブル端末装置１００を制御装置として使用することにより、ユーザの操作が容易になり、また、携帯情報端末装置１６の操作部４０に接触する必要がなくなる。そのため、携帯情報端末装置１６を上述したように滅菌プラスチックバッグ等に封入する等のユーザの手間を省略することができる。
【０３４３】
また、ウエアラブル端末装置１００では、ウインク等のジェスチャにより簡単に操作を行うことが可能であり、また、ウエアラブル端末装置１００がデジタルカメラ等の機能を有する場合、放射線画像に限らずデジタル画像も簡単に撮影することが可能となる。医療の現場では、このようにして撮影された画像を、後日、医療行為等の確認のために用いることができるため非常に有用である。
【０３４４】
さらに、眼鏡型のコンピュータであるウエアラブル端末装置１００で撮影された画像は、ユーザの目線で撮影された画像であるため、経験が浅い医師等に対しての教育用として有効に活用することができる。
【０３４５】
また、本実施の形態では、ジェスチャ（例えば、ウインク）によりウエアラブル端末装置１００の操作が可能であるため、迅速に操作を行うことができる。
【０３４６】
なお、本実施の形態では、動画の表示を制御装置で行っていたが、制御装置に代えて、または制御装置と共にウエアラブル端末装置１００で動画の表示を行ってもよい。
【０３４７】
また、本実施の形態では、動画モードの場合、放射線画像撮影装置１４の制御を全てウエアラブル端末装置１００から行っていたが、予め定めておいた制御のみをウエアラブル端末装置１００が行い、その他の制御を放射線画像撮影装置１４に接続されている制御装置が行ってもよい。
【０３４８】
また、本実施の形態では、動画モードの場合、動画のみの撮影を行っていたが、静止画の撮影も行うようにしてもよい。例えば、ウエアラブル端末装置１００から静止画の撮影を行うよう放射線画像撮影装置１４に対して指示してもよいし、動画の撮影の前後や、予め定められたタイミングで、静止画の撮影を行ってもよい。
【０３４９】
また、本実施の形態では、総合評価値と動画モード選択用の閾値とに基づいて撮影モードとして動画モードを選択していたが、撮影モードとして動画モードを選択する方法は本実施の形態に限定されない。
【０３５０】
なお、ウエアラブル端末装置１００により、放射線画像撮影装置１４を制御する形態は、本実施の形態に限定されない。例えば、携帯情報端末装置１６やコンソール１８と同様の制御装置として用いてもよい。
【０３５１】
また、ウエアラブル端末装置１００が行う放射線画像撮影装置１４の制御の種類も、本実施の形態に限定されない。例えば、ウエアラブル端末装置１００が撮影モードをいずれのモードとするかを指示してもよい。具体例としては、被写体Ｗがポジショニングの終了後に、上述した省電力モードへの移行を放射線画像撮影装置１４に指示してもよい。
【０３５２】
また、ウエアラブル端末装置１００の外表面には、抗菌技術を適用してもよい。さらには、特開２０１５−２７４１６に記載の親水加工部を含み構成される抗菌技術を用いてもよい。これにより、ウエアラブル端末装置１００の外表面が体液等により汚れた場合でも、簡便に除去することが可能となる。
【０３５３】
以上説明したように、上記各実施の形態の放射線画像撮影装置１４は、放射線画像に対する画像処理能力が互いに異なり、かつ放射線画像の撮影に関する制御を各々行う複数の制御装置である携帯情報端末装置１６及びコンソール１８のいずれか１つとの間で選択的に通信を行う通信部として機能するＩ／Ｆ部２８及び撮影制御部２２と、放射線画像を撮影する場合に、通信部が通信を行う制御装置の画像処理能力に応じて、放射線画像の撮影に関して予め定められた複数の撮影モード（メモリモード及び通常モード）のいずれかを選択する選択部として機能する撮影制御部２２と、を備える。
【０３５４】
また、撮影制御部２２は、複数の制御装置の画像処理能力に応じて、制御装置毎に複数の撮影モードを排他的に選択する。
【０３５５】
これにより、上記各放射線画像撮影装置１４によれば、放射線画像撮影装置１４では、接続された制御装置に適した撮影モードを選択することができる。
【０３５６】
また、上記各実施の形態の放射線画像撮影装置１４によれば、携帯情報端末装置１６が接続された場合に、メモリモードを撮影モードとして選択する。これにより、放射線画像撮影装置１４によれば、通信トラブルによりコンソール１８や外部のシステムと通信ができない場合にも、適切、かつ確実に放射線画像の撮影を実行するとともに、ユーザの操作が複雑になるのを抑制することができる。さらに、コンソール１８の場合、撮影を開始するためには、オーダ情報の受信を含め、立ち上がりに数分程度の時間を要するが、携帯情報端末装置１６は、立ち上げに１分程度しか要さないため、立ち上がりが早く、緊急に撮影を行う場合であっても、素早く、適切、かつ確実に放射線画像の撮影が実行される。
【０３５７】
従って、上記各実施の形態の放射線画像撮影装置１４によれば、ユーザにとって、放射線画像撮影装置１４の使い勝手を向上させることができる。
【０３５８】
また、上記第１〜第３の実施の形態の放射線画像撮影装置１４では、携帯情報端末装置１６が接続された場合に、撮影モードとしてメモリモードが選択され、撮影により得られた放射線画像の画像データは放射線画像撮影装置１４のメモリ２４に記憶される。そのため、携帯情報端末装置１６の記憶部３２の容量に係わらず、撮影を行うことができる。また、放射線画像撮影装置１４を、フィルムを用いて放射線画像の撮影を行う放射線画像撮影装置や、ＣＲ(Computed Radiography）カセッテと同様に、ユーザが取り扱うことができるため、ユーザにとって、放射線画像撮影装置１４の使い勝手を向上させることができる。
【０３５９】
なお、放射線画像撮影システム１０は、放射線画像撮影装置１４に接続可能な制御装置を１つしか備えていなくてもよい。このような場合として、図２６には、放射線画像撮影装置１４と、コンソール１８とを備えた放射線画像撮影システム１０の一例を示す概略構成図を示す。図２６に示した放射線画像撮影システム１０は、第１の実施の形態の放射線画像撮影システム１０（図１及び図２参照）と異なり、携帯情報端末装置１６を備えていない。
【０３６０】
１つの制御装置であっても、放射線画像に対する画像処理能力が互いに異なる画像処理機能であり、いずれか一方が選択される複数の画像処理機能を有している場合、画像処理機能毎に１つの制御装置と同等であるとみなし、上記各実施の形態と同様に放射線画像撮影装置１４を撮影に用いることができる。
【０３６１】
具体例として、コンソール１８が、オフセット補正、ゲイン補正、及び欠陥画素の補正を行う第１の画像処理機能と、オフセット補正及びゲイン補正を行う第２の画像処理機能と、を備えた制御装置であるものとする。この場合、制御部５０が、第１の画像処理機能を実行する場合、上記各実施の形態で説明したコンソール１８と同様の制御装置としてみなすことができる。また、制御部５０が、第２の画像処理機能を実行する場合、上記各実施の形態で説明した携帯情報端末装置１６と同様の制御装置としてみなすことができる。
【０３６２】
図２６に示した放射線画像撮影装置１４の撮影制御部２２は、コンソール１８の制御部５０が実行する画像処理機能が、第１の画像処理機能及び第２の画像処理機能のいずれであるかに応じて、撮影モードを選択する。なお、撮影制御部２２が、コンソール１８の制御部５０が実行する画像処理機能が、第１の画像処理機能及び第２の画像処理機能のいずれであるかを判断する方法は特に限定されない。例えば、放射線画像撮影装置１４には、第１の画像処理機能及び第２の画像処理機能の各々と、撮影モードとの対応関係を予めメモリ２４等に記憶しておく。そして、放射線画像撮影装置１４の撮影制御部２２は、コンソール１８から、制御部５０が実行する画像処理機能がいずれであるかを表す情報を取得し、取得した情報と、記憶されている対応関係とに基づいて撮影モードを選択すればよい。
【０３６３】
また、１つの制御装置であっても、１つの制御装置が外部のシステム等に備えられたシステムや装置等の画像処理機能を利用することにより、複数の画像処理機能を有する場合も、画像処理機能毎に１つの制御装置と同等であるとみなし、上記各実施の形態と同様に放射線画像撮影装置１４を撮影に用いることができる。具体例として、携帯情報端末装置１６が、自装置の画像処理機能と、コンソール１８の画像処理機能と、を使用して撮影により得られた放射線画像の画像処理を行えるものとする。この場合、撮影制御部２２が、コンソール１８の画像処理機能を使用して画像処理を行う場合は、コンソール１８と同様の制御装置としてみなすことができる。また、自装置の画像処理機能を使用して画像処理を行う場合は、上記各実施の形態で説明した携帯情報端末装置１６と同様の制御装置としてみなすことができる。なお、撮影制御部２２が、携帯情報端末装置１６が使用する画像処理機能が、携帯情報端末装置１６のものであるか、コンソール１８のものであるかを判断する方法は特に限定されない。例えば、携帯情報端末装置１６が使用する画像処理機能がいずれであるかを表す情報を取得し、取得した情報に基づいて撮影モードを選択すればよい。
【０３６４】
なお、上記各実施の形態では、画像処理能力として画像処理機能が互いに異なる携帯情報端末装置１６及びコンソール１８を制御装置として用いる場合について説明したが、画像処理能力は、画像処理機能に限らない。例えば、画像処理能力は、制御装置が有する表示部の表示能力であってもよい。上記各実施の形態の放射線画像撮影システム１０の場合は、携帯情報端末装置１６のディスプレイ３６と、コンソール１８のディスプレイ５６との表示能力が異なっている。ここで「表示能力」とは、放射線画像を表示する表示領域の大きさや、解像度、及び階調数等の少なくとも１つに応じた能力である。
【０３６５】
具体例として、放射線画像撮影装置１４は、接続された制御装置の表示領域が予め定められた大きさ以下の場合は、制御装置において読影用の放射線画像の表示が困難となることがあるため、上記第１〜第３の実施の形態で説明したメモリモードを撮影モードとする。一方、放射線画像撮影装置１４は、接続された制御装置の表示領域が予め定められた大きさを超える場合は、制御装置において読影用の放射線画像の表示を行うことができるため、上記第１〜第３の実施の形態で説明した通常モードを撮影モードとする。
【０３６６】
この場合、放射線画像撮影装置１４には、予め個々の制御装置を表す情報（制御装置ＩＤ等）と、表示領域の大きさとの対応関係を予めメモリ２４等に記憶しおく。そして、接続された制御装置から制御装置ＩＤを取得し、取得した制御装置ＩＤと、記憶されている対応関係とに基づいて表示領域の大きさを判断し、判断した表示領域の大きさに応じた撮影モードを選択すればよい。
【０３６７】
なお、上記の場合の表示領域の予め定められた大きさの例としてはタブレット端末装置の大きさが挙げられ、具体例としては画面のサイズとして１０型（対角線の長さが２５ｃｍ相当）程度が挙げられる。
【０３６８】
また、具体例として、放射線画像撮影装置１４の解像度が予め定められた解像度以下の場合は、制御装置において表示された読影用の放射線画像が見難いことがあるため、上記第１〜第３の実施の形態で説明したメモリモードを撮影モードとする。一方、放射線画像撮影装置１４は、接続された制御装置の解像度が予め定められた解像度を超える場合は、制御装置において表示された読影用の放射線画像が見易いため、上記第１〜第３の実施の形態で説明した通常モードを撮影モードとする。
【０３６９】
なお、上記各実施の形態では、制御装置と接続される毎に、撮影モードを選択していたが、撮影モードの選択を行うタイミングは、このタイミングに限らず特に限定されない。例えば、オーダ情報毎や、被写体Ｗ毎に撮影モードを選択してもよい。ユーザの所望に応じて設定された条件等、予め定められた条件に応じて、撮影モードを選択してもよい。なお、１つのオーダ情報によって複数枚の放射線画像の撮影が指示されている場合は、１つのオーダ情報分の撮影については、同一の撮影モードで行うことが好ましい。
【０３７０】
また、追加撮影を行う場合、放射線画像の撮影を行うユーザに対して追加撮影を依頼した医師等が、早急に放射線画像を読影したい場合がある。このような場合は、撮影モードを通常モードとして制御装置内に放射線画像の画像データを記憶しておくことが好ましい。また、放射線画像の読影を急がない場合は、撮影モードをメモリモードとすることが好ましい場合がある。そのため、追加撮影に応じて撮影モードを選択してもよい。
【０３７１】
なお、上記各実施の形態では、放射線画像撮影装置１４が自動的に、携帯情報端末装置１６が接続された場合にはメモリモードを選択し、コンソール１８が接続された場合には通常モードを選択していたが、撮影モードの選択は、ユーザが指示する撮影モードに基づいてもよい。例えば、携帯情報端末装置１６は、放射線画像撮影装置１４と接続した場合に、携帯情報端末装置１６の操作部４０がユーザにより操作されたことを検出すると、メモリモードを選択するための選択情報を放射線画像撮影装置１４に送信する。そして、撮影制御部２２は、本発明の受付部の一例として機能し、受信した選択情報に基づいて撮影モードとしてメモリモードを選択する。
【０３７２】
なお、この場合、ユーザは、撮影モードの指示をいずれの装置から行ってもよい。例えば、撮影モードの指示は、上記のように携帯情報端末装置１６（操作部４０）、コンソール１８（操作部６０）、及び放射線画像撮影装置１４（操作ボタン２５）のいずれかから行えばよい。また、撮影モードの指示は、放射線画像撮影装置１４と直接的または間接的に接続された外部のシステムから行ってもよい。
【０３７３】
また、ユーザが撮影モードの指示を行うタイミングは、特に限定されず、例えば、上記各実施の形態で説明した撮影リストが表示されたタイミングであってもよいし、１つのオーダ情報分の撮影が開始される前のタイミングであってもよく、オーダ情報毎に、撮影モードの指示を行ってもよい。
【０３７４】
なお、上記各実施の形態の放射線画像撮影装置１４は、指示された撮影モードをメモリ２４等にフラグ等により設定しておいてもよい。
【０３７５】
また撮影モードの指示と同様に、放射線画像撮影装置１４は、ユーザの指示により、実行中の撮影モードを解除してもよい。この場合、予め定められた撮影モードに移行してもよい。
【０３７６】
また、放射線画像撮影装置１４と制御装置とが有線で通信を行う場合は、上記各実施の形態に限らず、予め定められた条件により、撮影モードを選択してもよい。例えば、有線で通信を行う場合は、無線で通信を行う場合に比べて通信能力が高いため、撮影モードとして通常モードを選択してもよい。しかしながら、無線で通信が行えない撮影環境で撮影を行うため、有線で通信を行う場合は、例えば、携帯情報端末装置１６を制御装置として使用する場合であっても、撮影モードとしてメモリモードを選択することが好ましい。
【０３７７】
また、上記各実施の形態の放射線画像撮影装置１４では、メモリモード処理を行っている場合に、携帯情報端末装置１６との接続（通信）が切断されば場合は、撮影モードとして、メモリモードを維持しておき、接続（通信）が回復した場合に、再びメモリモード処理を行うようにすることが好ましい。
【０３７８】
なお、上記各実施の形態では、放射線画像撮影装置１４が、２種類の撮影モードを有する場合について説明したが、３種類以上の撮影モードを有していてもよい。例えば、携帯情報端末装置１６を用いて放射線画像の撮影を行う場合に、放射線画像撮影装置１４のメモリ２４の空き容量が不足しているが、このまま携帯情報端末装置１６を用いて放射線画像の撮影を行いたい場合がある。この場合、放射線画像撮影装置１４の撮影制御部２２は、撮影モードとしてメモリモードを選択することは適切ではない。撮影モードとして、プレビュー画像用の画像データを生成して携帯情報端末装置１６に送信し、また、放射線画像の生データまたは読影用の放射線画像の画像データを携帯情報端末装置１６に送信する第３のモードを撮影モードとして有しておき、上記の場合に、撮影制御部２２は、第３のモードを撮影モードとして選択することが好ましい。
【０３７９】
なお、上記各実施の形態の放射線画像撮影システム１０では、複数の制御装置として、携帯情報端末装置１６及びコンソール１８を備える場合について説明したが、放射線画像撮影システム１０が備える制御装置は、これらに限定されない。例えば、１つの放射線画像撮影システム１０内に、複数の携帯情報端末装置１６が備えられていてもよい。
【０３８０】
この場合、複数の携帯情報端末装置１６には、上述したようにメモリモードが適用されるものと、コンソール１８と同様に通常モードが適用されるものとが含まれていてもよい。具体例として、画像処理ソフトウエアであるOsiriXを画像処理機能に適用した携帯情報端末装置１６の場合、コンソール１８と組み合わせて用いる場合には、上記第１〜第３の実施の形態の携帯情報端末装置１６と同様にメモリモードが適用される。一方、OsiriXを画像処理機能に適用した携帯情報端末装置１６と、OsiriXよりも画像処理能力が低い画像処理機能を有する携帯情報端末装置１６とを組み合わせて用いる場合には、上記第１〜第３の実施の形態のコンソール１８と同様に通常モードが適用される。放射線画像撮影装置１４には、携帯情報端末装置１６に応じて、撮影モードをいずれとするかを判別するための情報を登録しておけばよい。
【０３８１】
なお、上記各実施の形態では、放射線画像の画像データまたは画像ＩＤと、被写体情報及びオーダ情報の少なくとも一方とを関連付けて記憶する場合について説明したが、さらに、その他の情報を関連付けて記憶させることが好ましい。
【０３８２】
例えば、放射線照射装置１２から放射線画像撮影装置１４に対して放射線Ｒを照射した実績を表す、照射実績情報を関連付けてもよい。この実績を表す情報の具体例としては、管電流、管電圧、照射時間、及び照射領域（コリメータの開口領域）等が挙げられる。放射線画像の撮影において、被写体Ｗを透過することにより発生した散乱線を除去するためのグリッドを用いずに撮影を行い、撮影された放射線画像の画像データに対して画像処理によりグリッドを設けた場合と同様に、使用を想定したグリッドの特性に基づいて、散乱線の影響を除去する仮想グリッド処理を行う場合がある。散乱線の量は、照射された放射線Ｒの線量に対応するため、上記実績を表す情報を関連付けておくことにより、関連付けられた放射線画像の画像データに対する仮想グリッド処理の精度を向上させることができる。
【０３８３】
また例えば、グリッドを用いて撮影を行ったか否かを表す情報を関連付けてもよい。この場合、関連付けられた放射線画像の画像データに対して仮想グリッド処理を行うか否かを判断することができる。
【０３８４】
また例えば、撮影を行ったユーザを表す情報（ユーザＩＤ等）を関連付けてもよい。
【０３８５】
また例えば、放射線画像の上下（天地）を表す情報を関連付けてもよい。この場合、関連付けられた放射線画像をユーザが読影する場合に、放射線画像の上下（天地）を読影に用いられる装置が自動的に調整することができる。
【０３８６】
また例えば、放射線画像撮影装置１４を表す情報（撮影装置ＩＤ等）を関連付けてもよい。
【０３８７】
また例えば、オーダ情報の送信元の装置やシステムを表す情報（例えば、コンソール１８であればコンソールＩＤ等）を関連付けてもよい。この場合、オーダ情報の送信元に容易に関連付けられた放射線画像を送信することができる。
【０３８８】
また例えば、追加撮影等、オーダが発行されていない状態で撮影を行った場合は、オーダが未発行である旨を表す情報を関連付けてもよい。この場合、撮影後に、放射線画像の画像データと、オーダ情報とをコンソール１８等で関連付けるのが容易になる。
【０３８９】
また、上記第１〜第３の実施の形態では、放射線画像撮影装置１４が、制御装置から撮影の開始を指示されると、放射線検出器２０をレディ状態に移行して放射線Ｒの照射開始を検出する場合について説明したが、レディ状態に移行するタイミングは限定されるものではない。例えば、放射線画像撮影装置１４に温度センサを設け、撮影制御部２２は、被写体Ｗがポジショニングされて放射線画像撮影装置１４に接触したことを温度センサにより検知した温度の変化に基づいて判断し、被写体Ｗがポジショニングされて放射線画像撮影装置１４に接触したと判断した場合に、レディ状態に移行させてもよい。また例えば、撮影を開始する場合における放射線画像撮影装置１４の状態を検知するためのセンサを設け、撮影制御部２２は、このセンサの検知結果に基づいて、撮影を開始する状態にあると判断した場合に、レディ状態に移行させてもよい。
【０３９０】
なお、上記第１〜第３の実施の形態では、通常モードの場合に、１つのオーダ情報分の撮影が完了するまで、メモリ２４に放射線画像の画像データを一旦記憶し、１つのオーダ分の撮影が完了するとまとめて削除する場合について説明したが、削除するタイミングはこれに限らない。例えば、撮影完了指示情報をコンソール１８から受信する毎に、１枚ずつ削除してもよい。
【０３９１】
また、上記各実施の形態では、コンソール１８が放射線の画像データを受信した場合、コンソール１８内の記憶部５２に記憶させる場合について説明したが、これらの情報を記憶させる場所は、記憶部５２に限らない。例えば、外部の記憶装置（ＰＡＣＳ：Picture Archiving and Communication System）等に記憶させてもよい。
【０３９２】
また、被写体Ｗは、人でなくてもよく、人以外の動物や植物等の生物や、他の物体であってもよい。
【０３９３】
また、放射線画像の撮影に用いられる放射線Ｒは特に限定されるものではなく、Ｘ線やγ線等を適用することができる。
【０３９４】
その他、本実施の形態で説明した放射線画像撮影装置１４、携帯情報端末装置１６、及びコンソール１８等の構成及び動作は一例であり、本発明の主旨を逸脱しない範囲内において状況に応じて変更可能であることはいうまでもない。
【符号の説明】
【０３９５】
１０  放射線画像撮影システム
１４  放射線画像撮影装置
１６  携帯情報端末装置
１８  コンソール
２２  撮影制御部
２４  メモリ
３０  端末制御部
５０  制御部
１００  ウエアラブル端末装置
１１０  ウエアラブル制御部
【図１】
2018079338.tif 000003
【図２】
2018079338.tif 000004
【図３】
2018079338.tif 000005
【図４】
2018079338.tif 000006
【図５】
2018079338.tif 000007
【図６】
2018079338.tif 000008
【図７】
2018079338.tif 000009
【図８】
2018079338.tif 000010
【図９】
2018079338.tif 000011
【図１０】
2018079338.tif 000012
【図１１】
2018079338.tif 000013
【図１２】
2018079338.tif 000014
【図１３】
2018079338.tif 000015
【図１４】
2018079338.tif 000016
【図１５】
2018079338.tif 000017
【図１６】
2018079338.tif 000018
【図１７】
2018079338.tif 000019
【図１８】
2018079338.tif 000020
【図１９】
2018079338.tif 000021
【図２０】
2018079338.tif 000022
【図２１】
2018079338.tif 000023
【図２２】
2018079338.tif 000024
【図２３】
2018079338.tif 000025
【図２４】
2018079338.tif 000026
【図２５】
2018079338.tif 000027
【図２６】
2018079338.tif 000028
【図２７】
2018079338.tif 000029
【図２８】
2018079338.tif 000030
【図２９】
2018079338.tif 000031
【図３０】
2018079338.tif 000032
【図３１】
2018079338.tif 000033
【図３２】
2018079338.tif 000034
【図３３】
2018079338.tif 000035
【図３４】
2018079338.tif 000036
【図３５】
2018079338.tif 000037